(57)【要約】【課題】ユーザが複数の記憶媒体から所望のコンテンツデータを容易に見つけ得る。【解決手段】本発明は、音楽ファイルと、当該音楽ファイルを所定の階層構造で管理する管理情報とを記憶する複数の記憶媒体２０のそれぞれから管理情報を読み出して、これら複数の記憶媒体２０のそれぞれの管理情報に基づいて、複数の記憶媒体のそれぞれの階層構造を維持したまま統合したリストを生成するようにしたことにより、複数の記憶媒体２０に記憶する全ての音楽ファイルＭＦを容易に見つけ得る統合リストＩＬを生成でき、かくして、ユーザが複数の記憶媒体２０の中から所望の音楽ファイルＭＦを容易に見つけることができる。【選択図】図１４
2008152479.tif 000002
【特許請求の範囲】
【請求項１】
コンテンツデータと、当該コンテンツデータを所定の階層構造で管理する管理情報とを記憶する複数の記憶媒体のそれぞれから、上記管理情報を読み出す読出し部と、
上記読出し部により読み出された複数の上記記憶媒体のそれぞれの上記管理情報に基づいて、複数の上記記憶媒体のそれぞれの上記階層構造を維持したまま統合したリストを生成するリスト生成部と
を具えることを特徴とする情報処理装置。
【請求項２】
上記管理情報はディレクトリ及び当該ディレクトリの識別情報であり、
上記リスト生成部は、
複数の上記記憶媒体のそれぞれの上記ディレクトリの上記識別情報のうち、同じ階層の上記ディレクトリの上記識別情報を比較して、同じ上記識別情報でなる上記ディレクトリを統合したリストを生成する
ことを特徴とする請求項１に記載の情報処理装置。
【請求項３】
上記管理情報はディレクトリ及び当該ディレクトリの識別情報であり、
上記リスト生成部は、
複数の上記記憶媒体のそれぞれの上記ディレクトリの上記識別情報のうち、同じ階層の上記ディレクトリの上記識別情報を比較して、同じ上記識別情報でなる上記ディレクトリの上記識別情報を変更して統合したリストを生成する
ことを特徴とする請求項１に記載の情報処理装置。
【請求項４】
上記コンテンツデータは音楽データであり、上記管理情報に基づいて、ジャンル、アーティスト及びアルバムの順でなる上記階層構造により管理されている
ことを特徴とする請求項１に記載の情報処理装置。
【請求項５】
上記コンテンツデータは、上記管理情報に基づいて、第１階層が個人識別情報でなる上記階層構造により管理されている
ことを特徴とする請求項１に記載の情報処理装置。
【請求項６】
上記階層構造はユーザにより設定される
ことを特徴とする請求項１に記載の情報処理装置。
【請求項７】
上記リスト生成部により生成された上記リストを表示する表示部
を具えることを特徴とする請求項１に記載の情報処理装置。
【請求項８】
コンテンツデータと、当該コンテンツデータを所定の階層構造で管理する管理情報とを記憶する複数の記憶媒体のそれぞれから、上記管理情報を読み出す読出しステップと、
複数の上記記憶媒体のそれぞれの上記管理情報に基づいて、複数の上記記憶媒体のそれぞれの上記階層構造を維持したまま統合したリストを生成するリスト生成ステップと
を具えることを特徴とする情報処理方法。
【請求項９】
コンピュータに対し、
コンテンツデータと、当該コンテンツデータを所定の階層構造で管理する管理情報とを記憶する複数の記憶媒体のそれぞれから、上記管理情報を読み出すことと、
複数の上記記憶媒体のそれぞれの上記管理情報に基づいて、複数の上記記憶媒体のそれぞれの上記階層構造を維持したまま統合したリストを生成することと
を実行させることを特徴とする情報処理プログラム。
【発明の詳細な説明】
【技術分野】
【０００１】
本発明は情報処理装置、情報処理方法及び情報処理プログラムに関し、例えば音楽を再生する機能を有する情報処理装置に適用して好適なものである。
【背景技術】
【０００２】
従来の情報処理装置は、ユーザから所定のキーワードが与えられると、自身に接続する複数の記憶媒体のそれぞれに記憶するコンテンツデータの中から、このキーワードに関連するコンテンツデータを検索して、その検索結果に基づいたリストを生成していた。その結果、従来の情報処理装置では、このように作成したリストをユーザに提示することで、ユーザに複数の記憶媒体のそれぞれにアクセスさせてそこに記憶しているコンテンツデータを確認させることなく、キーワードに関連するコンテンツデータをユーザに提供していた（例えば特許文献１参照）。
【特許文献１】特開２００５−３３１６８１公報
【発明の開示】
【発明が解決しようとする課題】
【０００３】
ところで、従来の情報処理装置は、与えられたキーワードに基づいたリストしか生成しないため、複数の記憶媒体の中にユーザが所望するコンテンツデータが他に記憶されていても、キーワードがなければリストを生成することができず、ユーザが複数の記憶媒体の中から所望のコンテンツデータを容易に見つけることができないという問題があった。
【０００４】
本発明は以上の点を考慮してなされたもので、ユーザが複数の記憶媒体から所望のコンテンツデータを容易に見つけ得る情報処理装置、情報処理方法及び情報処理プログラムを実現する。
【課題を解決するための手段】
【０００５】
かかる課題を解決するため本発明においては、コンテンツデータと、当該コンテンツデータを所定の階層構造で管理する管理情報とを記憶する複数の記憶媒体のそれぞれから、管理情報を読み出す読出し部と、読出し部により読み出された複数の記憶媒体のそれぞれの管理情報に基づいて、複数の記憶媒体のそれぞれの階層構造を維持したまま統合したリストを生成するリスト生成部とを設けるようにした。
【０００６】
従って本発明では、コンテンツデータと、当該コンテンツデータを所定の階層構造で管理する管理情報とを記憶する複数の記憶媒体のそれぞれから管理情報を読み出して、これら複数の記憶媒体のそれぞれの管理情報に基づいて、複数の記憶媒体のそれぞれの階層構造を維持したまま統合したリストを生成するようにしたことにより、複数の記憶媒体に記憶する全てのコンテンツデータを容易に見つけ得るリストを生成できる。
【発明の効果】
【０００７】
本発明によれば、コンテンツデータと、当該コンテンツデータを所定の階層構造で管理する管理情報とを記憶する複数の記憶媒体のそれぞれから管理情報を読み出して、これら複数の記憶媒体のそれぞれの管理情報に基づいて、複数の記憶媒体のそれぞれの階層構造を維持したまま統合したリストを生成するようにしたことにより、複数の記憶媒体に記憶する全てのコンテンツデータを容易に見つけ得るリストを生成でき、かくして、ユーザが複数の記憶媒体から所望のコンテンツデータを容易に見つけることができる。
【発明を実施するための最良の形態】
【０００８】
以下図面について、本発明の一実施の形態を詳述する。
【０００９】
（１）第１の実施の形態
（１−１）本実施の形態の概要
図１において、１は全体として本実施の形態による情報処理装置の概要を示す。情報処理装置１は、コンテンツデータと、当該コンテンツデータを所定の階層構造で管理する管理情報とを記憶する複数の記憶媒体２（２Ａ、２Ｂ、２Ｃ・・・）のそれぞれから、管理情報を読み出す読出し部３が設けられている。また情報処理装置１には、読出し部３により読み出された複数の記憶媒体のそれぞれの管理情報に基づいて、複数の記憶媒体のそれぞれの階層構造を維持したまま統合したリストを生成するリスト生成部４が設けられている。かかる構成により情報処理装置１は、複数の記憶媒体２（２Ａ、２Ｂ、２Ｃ・・・）に記憶する全てのコンテンツデータを容易に見つけ得るリストを生成でき、かくして、ユーザが複数の記憶媒体から所望のコンテンツデータを容易に見つけることができる。
【００１０】
（１−２）第１の実施の形態による情報処理装置の詳細構成
図２において、１０は全体として、上述した情報処理装置１の具体的な適用例である音楽再生装置１０を示す。かかる音楽再生装置１０には、ハードディスクドライブやフラッシュメモリ等のストレージデバイスからなる複数の記憶媒体２０（２０Ａ、２０Ｂ、２０Ｃ・・・）がＵＳＢ（Universal Serial Bus）用のハブ等を介して接続されている。音楽再生装置１０は、ユーザからの入力操作に応じて、これら複数の記憶媒体２０（２０Ａ、２０Ｂ、２０Ｃ・・・）の中に記憶されたコンテンツデータ（すなわち、この場合は音楽データ）を読み出して再生できるようになされている。
【００１１】
次いで図３を用いて、音楽再生装置１０の機能回路ブロックによる詳細なハードウェア構成を説明する。
【００１２】
かかる音楽再生装置１０は、制御部３０が、操作部３１に対するユーザ操作に応じて種々の命令が入力されると、内部のメモリ（図示せず）、又は記憶部３２に予め記憶されている基本プログラムやアプリケーションプログラム等の各種プログラムを読み出す。そして制御部３０は、これら各種プログラムに従って全体を制御すると共に、所定の演算処理や、操作部３１を介して入力される種々の命令に応じた各種処理を実行する。
【００１３】
音楽再生装置１０の制御部３０は、ユーザにより操作部３１を介して、ＣＤ（Compact Disk）等の光ディスクに記録された音楽データを録音するための操作命令が入力されると、光ドライブ部３３に装填された図示しない光ディスクから音楽データを読み出すと共に、当該読み出した音楽データをデータ処理部３４で所定の圧縮符号化方式で圧縮符号化した後、記憶部３２に送出して記憶する。このようにして制御部３０は、記憶部３２に対し、多数の音楽データを記憶し得るようになされている。
【００１４】
そして音楽再生装置１０の制御部３０は、ユーザにより操作部３１を介して記憶部３２内の音楽データが指定され、かつ当該指定された音楽データを再生要求する操作命令が入力されると、これに応じて記憶部３２から、当該指定された音楽データを読み出す。また制御部３０は、その記憶部３２から読み出した音楽データに対しデータ処理部３４で所定の復号処理や再生処理を施した後、アンプやスピーカ等でなる出力部３５に送出する。これにより制御部３０は、出力部３５から、記憶部３２に記憶していた音楽データに基づく音楽を出力してユーザに聴かせることができる。さらに制御部３０は、ユーザにより操作部３１を介して光ディスクから音楽データを再生するための操作命令が入力されると、光ドライブ部３３に装填された光ディスクから音楽データを読み出してデータ処理部３４を介して出力部３５に送出する。これにより制御部３０は、出力部３５から、光ディスクに記録された音楽データに基づく音楽を出力してユーザに聴かせることもできる。
【００１５】
また音楽再生装置１０の制御部３０は、操作部３１を介してラジオ局が選局されラジオ番組の出力が要求されると、チューナを有する受信部３６を制御することにより、この受信部３６で受信する複数のラジオ局のラジオ放送波のうち、ユーザにより選局されたラジオ局のラジオ番組に対応するラジオ放送波を抽出して復調処理等の所定の受信処理を施し、この結果得られたラジオ番組の番組信号をデータ処理部３４に送出する。データ処理部３４は、受信部３６から与えられた番組信号に対しアナログデジタル変換処理及びイコライジング処理等のデジタル処理を施して番組データを生成する。そして制御部３０は、このようにして生成した番組データにデータ処理部３４で所定のデジタルアナログ変換処理及び増幅処理等のアナログ処理を施すことにより、出力部３５から、番組データに基づくラジオ番組の音声を出力させてユーザに聴取させる。このようにして音楽再生装置１０の制御部３０は、ユーザに対し所望のラジオ局で放送されているラジオ番組を聴かせることができる。
【００１６】
さらに制御部３０は、操作部３１を介してラジオ局が選局され、ラジオ番組の録音が要求されると、上述と同様にラジオ放送波を抽出して復調処理等の所定の受信処理を施し、この結果得られたラジオ番組の番組信号をデータ処理部３４でデジタル処理を施す。そして制御部３０は、その結果得られた番組データを記憶部３２に送出してデータファイルとして記録する。このようにして音楽再生装置１０の制御部３０は、所望のラジオ局で放送されているラジオ番組を録音することができる。
【００１７】
さらに音楽再生装置１０の制御部３０は、例えば音楽データや番組データの再生及び録音に応じた表示用データを生成して、表示制御部やディスプレイでなる表示部３７に送出する。これにより制御部３０は、表示部３７において表示用データに基づき、音楽データや番組データの取得、録音及び再生等に関する各種画面を表示して、ユーザに視認させることができる。
【００１８】
これに加え、音楽再生装置１０には、接続処理部３８を介して複数の記憶媒体２０（２０Ａ、２０Ｂ、２０Ｃ・・・）が接続されている。そして制御部３０は、操作部３１へのユーザの入力操作に応じて、光ドライブ部３３に装填された光ディスクから音楽データを読み出して、この音楽データを、接続処理部３８を介して所定の情報に基づく階層構造で複数の記憶媒体２０のうちのいずれかに記憶するようにもなされている。実際上、複数の記憶媒体２０のそれぞれには音楽データの論理的な記憶場所となる１以上のフォルダ（ディレクトリなどとも呼ばれる）が音楽データに関連する所定の情報（以下、これを関連情報と呼ぶ）に応じて階層的に形成され、接続処理部３８は、この階層的に形成されたフォルダ内に音楽データを記憶するようになされている。
【００１９】
この場合の関連情報とは、具体的に言うと、例えば、両親と息子からなる３人家族においてそれぞれを識別するために「僕」「パパ」「ママ」のようにユーザにより操作部３１を介して直接入力（すなわちカスタマイズ）された情報（以下、これらを個人識別情報と呼ぶ）や、音楽データに対応付けられているアーティストの名称（以下、これをアーティスト名と呼ぶ）、音楽データを読み出した光ディスクのアルバムとしての名称（以下、これをアルバム名と呼ぶ）等のことである。ちなみに、アーティスト名及びアルバム名は、音楽データに付加されている情報から取得したり、図示しない通信部によりインターネット等のネットワーク上のサーバから取得したり、操作部３１を介してユーザにカスタマイズされたり等することによって取得するようになされている。
【００２０】
すなわち音楽再生装置１０の制御部３０は、操作部３１へのユーザの入力操作に応じて、光ドライブ部３３に装填された光ディスクから音楽データを読み出すと共に、この音楽データの個人識別情報、アーティスト名及びアルバム名といった関連情報を取得してデータ処理部３４で圧縮符号化した後に接続処理部３８に送信する。接続処理部３８は、複数の記憶媒体２０のうちこの音楽データの記憶が要求された記憶媒体２０に対して、関連情報に応じた識別情報を付したフォルダ（すなわち、個人識別情報やアーティスト名、アルバム名からなるフォルダ）を階層的に形成し、その中に音楽データをファイル（以下、これを音楽ファイルと呼ぶ）として記憶する。またこのとき接続処理部３８は、記憶媒体２０内に形成されたフォルダの階層構造や名称、記憶している音楽ファイルの種類や名称を管理する情報（以下、これを管理情報と呼ぶ）を生成してかかる記憶媒体２０に記憶させる。
【００２１】
このようにして音楽再生装置１０は、自身に接続する複数の記憶媒体２０のそれぞれに対し、音楽データの関連情報に基づいた階層的なフォルダの中に多数の音楽データを音楽ファイルとして記憶し得るようになされている。この階層的なフォルダの構造は既存のパーソナルコンピュータ上のデータの管理に広く用いられており、その結果、音楽再生装置１０は、ユーザの多くに対して煩雑さを感じさせること無く、フォルダを階層的に辿るという容易な操作をさせるだけで、記憶媒体２０に記憶された音楽ファイルを確認させることができる。
【００２２】
また、このとき音楽再生装置１０の接続処理部３８は、記憶媒体２０に対して、ユーザ毎（この場合、「僕」「パパ」「ママ」毎）にフォルダを分けて音楽ファイルを記憶していることにより、ユーザのそれぞれが複数の記憶媒体２０のそれぞれにアクセスしたときに、ユーザが、他のユーザが記憶させた音楽ファイルやフォルダに惑わされること無く、自分が記憶させた音楽ファイルに関連するフォルダだけを階層的に辿って音楽ファイルを確認することができ、その結果、ユーザの使い勝手を向上させることができる。
【００２３】
（１−３）１つの記憶媒体からの音楽ファイルの再生
次に、音楽再生装置１０に接続する複数の記憶媒体２０の中から、音楽ファイルを読み出して再生する操作について説明する。この場合、話を簡単にするために、まず、音楽再生装置１０に対して記憶媒体２０が１つだけ接続した場合について説明する。
【００２４】
（１−３−１）第１の記憶媒体からの音楽ファイルの再生
音楽再生装置１０に記憶媒体２０が１つだけ接続されたとき、制御部３０は、接続処理部３８に対し、この接続された記憶媒体２０（以下、このように１つだけ接続されている２０を特に第１の記憶媒体２０Ａと呼ぶ）の中に記憶している音楽ファイルをフォルダ毎に階層的にユーザに提示するリスト（以下、これを提示リストと呼ぶ）を生成するリスト生成信号を送信する。接続処理部３８において読出し部３８Ａは、制御部３０から送信されるリスト生成信号を受信すると、これに応じて第１の記憶媒体２０Ａに記憶している管理情報を読み出して、これをリスト生成部３８Ｂに送信する。リスト生成部３８Ｂは、読出し部３８Ａで読み出された管理情報に基づいて提示リストを生成して、これを図示しないメモリに記憶して管理する。ちなみに、この提示リストの生成は、第１の記憶媒体２０Ａに記憶する音楽ファイルやフォルダの階層構造が更新されたときにも行われる。
【００２５】
次いで音楽再生装置１０の制御部３０は、操作部３１へのユーザの入力操作に応じて、第１の記憶媒体２０Ａに記憶されている音楽ファイルを選択する要求（以下、これをファイル選択要求と呼ぶ）が入力されると、接続処理部３８に対し、第１の記憶媒体２０Ａの提示リストを要求する信号（以下、これをリスト要求信号と呼ぶ）を送信する。
【００２６】
接続処理部３８においてリスト生成部３８Ｂは、制御部３０から送信されるリスト要求信号を受信すると、これに応じて図示しないメモリから第１の記憶媒体２０Ａの提示リストを読み出し、これを表示部３７に送信する。表示部３７は、制御部３０の制御により、提示リストに応じたリスト提示画面を生成して表示する。このリスト提示画面には、第１の記憶媒体２０Ａに記憶するフォルダに対応付けられたアイコン（以下、これをフォルダアイコンと呼ぶ）と音楽ファイルに対応付けられたアイコン（以下、これを音楽アイコンと呼ぶ）とが示されており、音楽再生装置１０は、ユーザに対し、このリスト提示画面を提示することで、第１の記憶媒体２０Ａに記憶しているフォルダや音楽ファイルをあたかもユーザに直接提示するかのようになされている。
【００２７】
そして制御部３０は、ユーザが所望の音楽ファイルに対応する音楽アイコンを選択した結果、選択した音楽アイコンに対応する音楽ファイルを再生する要求（以下、これをファイル再生要求と呼ぶ）が操作部３１を介して入力されると、接続処理部３８に対し、第１の記憶媒体２０Ａの中に記憶しているユーザ所望の音楽ファイルを要求する信号（以下、これをファイル要求信号と呼ぶ）を送信する。接続処理部３８において読出し部３８Ａは、制御部３０から送信されるファイル要求信号を受信すると、これに応じて第１の記憶媒体２０Ａに記憶している音楽ファイルの中からユーザ所望の音楽ファイルを音楽データとして読み出して復号し、これをデータ処理部３４に送信する。データ処理部３４は、接続処理部３８から送信された音楽データに対し所定の再生処理を施した後、アンプやスピーカ等でなる出力部３５に送出する。このようにして制御部３０は、第１の記憶媒体２０Ａに記憶している音楽ファイルの中から、所望の音楽ファイルをユーザに選択させて、この選択させた音楽ファイルに基づく音楽を出力してユーザに聴かせることができる。
【００２８】
（１−３−２）提示リストの生成
ここで図４を用いて、接続処理部３８において、ユーザに提示するための提示リストの生成方法について詳述する。
【００２９】
接続処理部３８には、例えばＵＳＢコントローラのような、ＵＳＢで接続した記憶媒体を制御する接続制御部４０が設けられており、内部のメモリ（図示せず）、又は記憶部３２に予め記憶されている各種処理用のファームウェアを読み出して実行することにより各種モジュールを形成して、各種処理を実行するようになされている。また接続処理部３８には、制御部３０との信号の通信用のシステムインターフェイス４１が設けられている。さらに接続処理部３８には、音楽データの通信用のデータインターフェイス４２が設けられている。
【００３０】
ここで、接続制御部４０により各種処理用のファームウェアを実行されて形成されるモジュールとしては、中央処理モジュール４３と、デバイス識別モジュール４４と、データ管理モジュール４５と、デコードモジュール４６と、管理情報解析モジュール４７と、リスト生成モジュール４８とがある。
【００３１】
これらのうち中央処理モジュール４３は、制御部３０から送信される各種信号に含まれるコマンドを解読して、接続処理部３８全体における基本的な処理を統括的に行う。デバイス識別モジュール４４は、例えばＵＳＢドライバを実行することにより形成され、エニュメレーションを実行することにより音楽再生装置１０に接続する各種デバイス（この場合、記憶媒体２０）を識別したり、その識別した記憶媒体２０から送信されるシリアル信号の解析をしたりする。データ管理モジュール４５は、例えばマスストレージクラスドライバを実行することにより形成され、記憶媒体２０に記憶しているデータファイル（この場合、音楽ファイル）を記憶している物理アドレスや論理アドレスを統括的に管理して、記憶媒体２０を音楽データの読み書きが可能な状態にする。デコードモジュール４６は、記憶媒体２０から読み出した音楽データをデコード（すなわち復号）する。管理情報解析モジュール４７は、記憶媒体２０に記憶するＦＡＴ（File Allocation Table）等のファイルシステムやフォルダの階層構造などを示す管理情報を解析して、その解析結果をリスト生成モジュール４８に送信する。リスト生成モジュール４８は、管理情報解析モジュール４７からの解析結果に基づいて、ユーザに提示するための提示リストを生成する。
【００３２】
また、この接続処理部３８において、上述した読出し部３８Ａ（図３）は、データ管理モジュール４５（図４）に相当する。また接続処理部３８において、上述したリスト生成部３８Ｂは、データ管理モジュール４５に相当する。
【００３３】
そして接続処理部３８において中央処理モジュール４３は、音楽再生装置１０に第１の記憶媒体２０Ａが接続したときに、システムインターフェイス４１を介して制御部３０からリスト生成信号が送信されると、かかるリスト生成信号に基づいてデータ管理モジュール４５を制御することにより、第１の記憶媒体２０Ａから、この第１の記憶媒体２０Ａの管理情報を読み出す。データ管理モジュール４５は、第１の記憶媒体２０Ａから読み出した管理情報を管理情報解析モジュール４７に送出する。管理情報解析モジュール４７は、管理情報を解析することにより、第１の記憶媒体２０Ａのフォルダの階層構造や音楽ファイルの位置を特定して、その解析結果をリスト生成モジュール４８に送信する。
【００３４】
実際上、第１の記憶媒体２０Ａの内部には、図５に示すように、関連情報に応じた識別情報が付加されることで形成されたツリー状の階層構造でなるフォルダＦｏ（ＦｏＡ１〜ＦｏＡ８）の中で最も下の階層のフォルダＦｏに音楽ファイルＭＦ（ＭＦＡ１〜ＭＦＡ７）が記憶されている。そして接続処理部３８において管理情報解析モジュール４７は、このような第１の記憶媒体２０Ａの管理情報を解析することにより、第１の記憶媒体２０Ａのフォルダの識別情報や階層構造、音楽ファイルを記録している位置などを特定して、その解析結果をリスト生成モジュール４８に送出する。リスト生成モジュール４８は、図６に示すように、管理情報解析モジュール４７から送信された解析結果に基づいて、第１の記憶媒体２０Ａのフォルダの識別情報や階層構造、音楽ファイルを記録している位置などをユーザに提示するための提示リスト（以下、この第１の記憶媒体２０Ａの提示リストを、第１の提示リストＬＡと呼ぶ）を生成する。
【００３５】
ここで、図６に示す第１の提示リストＬＡについて説明する。この第１の提示リストＬＡには、リストに記載されているフォルダの情報（以下、これをフォルダ情報と呼ぶ）として、第１の記憶媒体２０Ａ内の各フォルダＦｏ（ＦｏＡ１〜ＦｏＡ８）に順に割り当てた番号（この場合１〜８であり、以下、フォルダ番号と呼ぶ）と、このフォルダ番号に対応付けられた各フォルダＦｏ（ＦｏＡ１〜ＦｏＡ８）の識別情報（この場合、ＲＯＯＴ、僕、パパ、アーティスト名及びアルバム名等であり、以下、これをフォルダ名と呼ぶ）と、ツリー状の階層構造の中で各フォルダＦｏ（ＦｏＡ１〜ＦｏＡ８）の前後にリンクするフォルダのフォルダ番号を示す前方リンク及び後方リンクとが示されている。すなわち、この第１の提示リストＬＡは、フォルダ情報に基づいて、フォルダ名に対応付けられたフォルダ番号と後方リンクとを辿ることにより、例えば、「ＲＯＯＴ→僕→奥花美→アメジスト」のようにして、第１の記憶媒体２０Ａ（図５）に記憶している階層状の各フォルダＦｏを上の階層から下の階層に辿ることができるようになされている。同様にして、この第１の提示リストＬＡは、フォルダ情報に基づいて、フォルダ名に対応付けられたフォルダ番号と前方リンクとを辿ることにより、例えば、「アメジスト→奥花美→僕→ＲＯＯＴ」のようにして、第１の記憶媒体２０Ａ（図５）に記憶している階層状の各フォルダＦｏを下の階層から上の階層に遡って辿ることができるようになされている。
【００３６】
また、この第１の提示リストＬＡには、リストに記載されている音楽ファイルの情報（以下、これをトラック情報と呼ぶ）として、第１の記憶媒体２０Ａ内の各音楽ファイルＭＦ（ＭＦＡ１〜ＭＦＡ７）に順に割り当てた番号（この場合１〜７であり、以下、トラック番号と呼ぶ）と、このトラック番号に対応付けられた各音楽ファイルＭＦ（ＭＦＡ１〜ＭＦＡ７）のタイトルと、各音楽ファイルＭＦ（ＭＦＡ１〜ＭＦＡ７）が記憶されている記憶媒体の識別名（この場合、第１の記憶媒体２０Ａなので「Ａ」とし、以下、このような識別名をデバイス名と呼ぶ）とが示されており、上述したフォルダ情報に対応付けられている。すなわち、この第１の提示リストＬＡは、トラック情報に基づいて、第１の記憶媒体２０Ａの各フォルダＦｏに記憶している各音楽ファイルＭＦ（図５）を特定できるようになされている。
【００３７】
このようにして接続処理部３８においてリスト生成モジュール４８は、ユーザに提示したときに、あたかも第１の記憶媒体２０Ａ（図５）の階層的なフォルダＦｏを上の階層から下の階層及び下の階層から上の階層に辿るようにして、そこに記憶している各音楽ファイルＭＦ（ＭＦＡ１〜ＭＦＡ７）を特定できるような第１の提示リストＬＡを生成すると共に、この第１の提示リストＬＡをリスト生成モジュール４８の図示しないメモリに記憶して管理する。そして接続処理部３８は、第１の記憶媒体２０Ａに記憶する音楽ファイルやフォルダの階層構造が更新されたときには、逐次この第１の提示リストＬＡを更新する。
【００３８】
（１−３−３）提示リストの提示
次いで、接続処理部３８において生成した提示リストをユーザに提示する方法について詳述する。
【００３９】
接続処理部３８において中央処理モジュール４３は、制御部３０からファイル選択要求が送信されると、これに応じて、図示しないメモリに記憶する第１の提示リストＬＡを読み出すようにリスト生成モジュール４８を制御する。リスト生成モジュール４８は、中央処理モジュール４３の制御により、図示しないメモリに記憶する第１の提示リストＬＡを読み出し、読み出した第１の提示リストＬＡのうち、表示部３７に表示する分とユーザの選択操作に応じて表示を僅かに（例えば上下に数行）スクロールできるだけの分のリスト（以下、これを提示単位リストと呼ぶ）を表示部３７に送信する。実際上、第１の記憶媒体２０Ａの音楽ファイルＭＦ（ＭＦＡ１〜ＭＦＡ７）は階層的なフォルダＦｏ（ＦｏＡ１〜ＦｏＡ８）のうち最も下の階層のフォルダＦｏに記憶されていることにより、リスト生成モジュール４８は、第１の提示リストＬＡのうち、ＲＯＯＴ側から取得した提示単位リストを表示部３７に送信する。表示部３７は、制御部３０の制御により、提示単位リストに応じたリスト提示画面を生成して表示する。
【００４０】
また制御部３０は、表示部３７に表示しているリスト提示画面を切り換える命令が操作部３１を介してユーザから入力される毎に、それに応じてリスト要求信号を接続処理部３８に送信する。接続処理部３８は、リスト要求信号が送信される毎に、第１の提示リストＬＡのうちの対応する提示単位リストを表示部３７に送信する。そして表示部３７は、提示リストに応じてリスト提示画面を順次切り換えるようになされている。
【００４１】
このようにして音楽再生装置１０は、第１の記憶媒体２０Ａに記憶しているフォルダＦｏや音楽ファイルＭＦを、ユーザの入力操作に応じて表示部３７にリスト提示画面として順次提示することができ、その結果、第１の記憶媒体２０Ａに記憶している音楽ファイルＭＦを階層的なフォルダＦｏを辿ってユーザに選択させることができる。
【００４２】
（１−３−４）フォルダ及び音楽ファイルの選択
ここで、第１の提示リストＬＡに基づいてユーザに提示したリスト提示画面において、フォルダＦｏを順次切り換えて音楽ファイルＭＦをユーザに選択させる操作（以下、これを選択操作と呼ぶ）と、音楽ファイルＭＦをユーザに再生させる操作（以下、これを再生操作と呼ぶ）とを図７を用いて詳述する。この場合、一例として、リスト提示画面に基づいて、第１の記憶媒体２０Ａ（図５）に記憶する音楽ファイルＭＦ（ＭＦＡ１〜ＭＦＡ７）の中で、フォルダＦｏＡ８（海の家）に記憶されている音楽ファイルＭＦＡ７（ＮＡＭＩＨＥＩ）をユーザが選択する場合の操作について詳述する。
【００４３】
まず、音楽再生装置１０の制御部３０は、図７（Ａ）に示すように、リスト要求信号に応じて接続処理部３８が送信した提示単位リストに基づくリスト提示画面を表示部３７に表示させて、ユーザからの選択操作を待ち受ける。この提示画面には、第１の提示リストＬＡ（図６）のうち、最も上の階層側のフォルダ名「ＲＯＯＴ」の後方にフォルダ番号を介してリンクされている、フォルダ名「僕」の名を付して対応付けているフォルダアイコンＩｆＡ１（僕）とフォルダ名「パパ」の名を付して対応付けているフォルダアイコンＩｆＡ２（パパ）とが示されている。すなわち、制御部３０は、あたかも、第１の記憶媒体２０Ａ（図５）に記憶するフォルダＦｏＡ１（ＲＯＯＴ）の中のフォルダＦｏＡ２（僕）とフォルダＦｏＡ３（パパ）とをユーザに直接提示するかのようなリスト提示画面をユーザに表示する（以下、このように提示リストのうちでＲＯＯＴの直下の階層（すなわち第１階層）をユーザに示すリスト提示画面を、特に第１階層提示画面５０Ａと呼ぶ）。
【００４４】
このとき、第１階層提示画面５０Ａには、縦に並ぶフォルダアイコンＩｆＡ１（僕）及びフォルダアイコンＩｆＡ２（パパ）の左側に、右方向を頂点とする二等辺三角形のカーソルＫが表示されている。このカーソルＫの移動には、例えば、操作部３１としての十字キーへのユーザからの選択操作が割り当てられており、音楽再生装置１０の制御部３０は、ユーザに対してこの十字キーを上下方向に動かす選択操作（以下、これを特に上下選択操作とも呼ぶ）をさせることで、リスト提示画面（この場合、第１階層提示画面５０Ａ）においてカーソルＫを上下に移動して各種アイコン（この場合、フォルダアイコンＩｆＡ１（僕）及びフォルダアイコンＩｆＡ２（パパ））を選択するようになされている。
【００４５】
すなわち音楽再生装置１０の制御部３０は、図７（Ｂ）に示すように、ユーザからの十字キーへの上下選択操作に応じて、第１階層提示画面５０Ａ上のフォルダアイコンＩｆＡ１（僕）及びフォルダアイコンＩｆＡ２（パパ）のうち、例えばユーザが上下選択したフォルダアイコンＩｆＡ２（パパ）の位置にカーソルＫを移動させる。このようにして音楽再生装置１０は、操作部３１へのユーザからの上下選択操作に応じて、表示部３７に表示するリスト提示画面上のカーソルＫを上下に移動して、フォルダアイコンＩｆＡ１（僕）とフォルダアイコンＩｆＡ２（パパ）の中からフォルダアイコンＩｆＡ２（パパ）を選択する。
【００４６】
ここで、音楽再生装置１０の制御部３０は、図７（Ｃ）に示すように、操作部３１としての図示しない十字キーを右方向に動かす選択操作（以下、これを特に右選択操作とも呼ぶ）をユーザにさせることにより、第１の提示リストＬＡのうち、リスト提示画面（この場合、第１階層提示画面５０Ａ）上において現時点でカーソルＫにより選択されているアイコン（この場合、フォルダアイコンＩｆＡ２（パパ））に対応付けられているフォルダ名（この場合、フォルダ名「パパ」）の後方にフォルダ番号を介してリンクされている部分を、第１階層提示画面５０Ａの１つ下の階層のリスト提示画面（以下、これを第２階層提示画面５０Ｂと呼ぶ）として表示部３７に表示する。
【００４７】
このとき、第１の提示リストＬＡ（図６）の中で、フォルダ名「ＳＯＵＴＨＥＲ ＡＬＬ ＭＯＯＮＳ」がフォルダ番号を介してフォルダ名「パパ」に後方リンクしていることにより、この第２階層提示画面５０Ｂには、ユーザからの操作部３１への右選択操作に応じて、フォルダ名「ＳＯＵＴＨＥＲ ＡＬＬ ＭＯＯＮＳ」の名を付して対応付けているフォルダアイコンＩｆＡ３（ＳＯＵＴＨＥＲ ＡＬＬ ＭＯＯＮＳ）が示されている。
【００４８】
このようにして音楽再生装置１０の制御部３０は、操作部３１へのユーザからの右選択操作に応じて、第１階層提示画面５０Ａから１つ下の階層の第２階層提示画面５０Ｂに切り換えて表示部３７に表示する。すなわち、制御部３０は、操作部３１へのユーザからの右選択操作に応じて、あたかも、第１の記憶媒体２０Ａ（図５）に記憶するフォルダＦｏＡ３（パパ）の中のフォルダＦｏＡ５（ＳＯＵＴＨＥＲ ＡＬＬ ＭＯＯＮＳ）をユーザに直接提示するかのような第２階層提示画面５０Ｂをユーザに表示する（図７（Ｃ））。ちなみに制御部３０は、操作部３１としての十字キーを左方向に動かす選択操作（以下、これを特に左選択操作とも呼ぶ）をユーザにさせることにより、第１の提示リストＬＡのうち、現時点で表示部３７に表示しているリスト提示画面（この場合、例えば第２階層提示画面５０Ｂ）に対応付けられているフォルダ名（この場合、フォルダ名「パパ」）にフォルダ番号を介して前方リンクされている部分（すなわち、第１階層提示画面５０Ａに対応する部分）を接続処理部３８から取得して、表示部３７に表示させるようになされている。
【００４９】
そして音楽再生装置１０の制御部３０は、第２階層提示画面５０Ｂ上において、操作部３１へのユーザからの上下選択操作と右選択操作とが入力されると、図７（Ｄ）に示すように、第１の提示リストＬＡのうち、第２階層提示画面５０Ｂ上において現時点でカーソルＫにより選択されているフォルダアイコンＩｆＡ３（ＳＯＵＴＨＥＲ ＡＬＬ ＭＯＯＮＳ）に対応付けられているフォルダ名「ＳＯＵＴＨＥＲ ＡＬＬ ＭＯＯＮＳ」にフォルダ番号を介して後方リンクされている部分を、第２階層提示画面５０Ｂの１つ下の階層のリスト提示画面（以下、これを第３階層提示画面５０Ｃと呼ぶ）として表示部３７に表示する。
【００５０】
このとき、第１の提示リストＬＡ（図６）の中で、フォルダ名「月の海」とフォルダ名「海の家」とがフォルダ番号を介してフォルダ名「ＳＯＵＴＨＥＲ ＡＬＬ ＭＯＯＮＳ」に後方リンクしていることにより、この第３階層提示画面５０Ｃには、フォルダ名「月の海」の名を付して対応付けているフォルダアイコンＩｆＡ４（月の海）と、フォルダ名「海の家」の名を付して対応付けているフォルダアイコンＩｆＡ５（海の家）とが示されている。すなわち、音楽再生装置１０の制御部３０は、操作部３１へのユーザからの右選択操作に応じて、あたかも、第１の記憶媒体２０Ａ（図５）に記憶するフォルダＦｏＡ５（ＳＯＵＴＨＥＲ ＡＬＬ ＭＯＯＮＳ）の中のフォルダＦｏＡ７（月の海）とフォルダＦｏＡ８（海の家）とをユーザに直接提示するかのような第３階層提示画面５０Ｃをユーザに表示する。
【００５１】
音楽再生装置１０の制御部３０は、第３階層提示画面５０Ｃ上において、操作部３１へのユーザからの上下選択操作が入力されると、図７（Ｅ）に示すように、フォルダアイコンＩｆＡ４（月の海）及びフォルダアイコンＩｆＡ５（海の家）のうち、例えばユーザが上下選択したフォルダアイコンＩｆＡ５（海の家）にカーソルＫを移動してこれを選択する。そして制御部３０は、図７（Ｆ）に示すように、操作部３１へのユーザからの右選択操作が入力されると、第１の提示リストＬＡ（図６）のうち、第３階層提示画面５０Ｃ上において現時点でカーソルＫにより選択されているフォルダアイコンＩｆＡ５（海の家）に対応付けられているフォルダ名「海の家」に対応付けられている部分を、第３階層提示画面５０Ｃの１つ下の階層のリスト提示画面（以下、これを第４階層提示画面５０Ｄと呼ぶ）として表示部３７に表示する。
【００５２】
このとき、第１の提示リストＬＡ（図６）の中で、タイトル「ＴＳＵＭＡＭＩ」とタイトル「ＮＡＭＩＨＥＩ」とがフォルダ名「海の家」に対応付けられていることにより、この第４階層提示画面５０Ｄには、タイトル「ＴＳＵＭＡＭＩ」の名を付して対応付けている音楽アイコンＩｍＡ１（ＴＳＵＭＡＭＩ）と、タイトル「ＮＡＭＩＨＥＩ」の名を付して対応付けている音楽アイコンＩｍＡ２（ＮＡＭＩＨＥＩ）とが示されている。すなわち、音楽再生装置１０の制御部３０は、操作部３１へのユーザからの右選択操作に応じて、あたかも、第１の記憶媒体２０Ａ（図５）に記憶するフォルダＦｏＡ８（海の家）の中の音楽ファイルＭＦＡ６（ＴＳＵＭＡＭＩ）と音楽ファイルＭＦＡ７（ＮＡＭＩＨＥＩ）とをユーザに直接提示するかのような第４階層提示画面５０Ｄをユーザに表示する。
【００５３】
このようにして音楽再生装置１０は、操作部３１へのユーザからの選択操作に応じて、あたかもフォルダを切り換えるかのようにして、第１の提示リストＬＡ（図６）に応じた第１階層提示画面５０Ａ、第２階層提示画面５０Ｂ、第３階層提示画面５０Ｃ及び第４階層提示画面５０Ｄを順に切り換えて表示部３７に提示することにより、第１の記憶媒体２０Ａの階層的なフォルダを辿ってその中に記憶している音楽ファイルの中から、所望の音楽ファイルをユーザに容易に選択させることができる。
【００５４】
そして音楽再生装置１０の制御部３０は、第４層のリスト提示画面Ｄ上において、操作部３１へのユーザからの上下選択操作が入力されると、図７（Ｇ）に示すように、音楽アイコンＩｍＡ１（ＴＳＵＭＡＭＩ）及び音楽アイコンＩｍＡ２（ＮＡＭＩＨＥＩ）のうち、上述と同様にして、例えばユーザが上下選択した音楽アイコンＩｍＡ２（ＮＡＭＩＨＥＩ）にカーソルＫを移動してこれを選択する。そして制御部３０は、例えば、操作部３１としての図示しない再生ボタンがユーザに押下されて再生操作が入力されると、第１の提示リストＬＡに基づいて、音楽アイコンＩｍＡ２（ＮＡＭＩＨＥＩ）にタイトルを介して対応付けられている音楽ファイルＭＦＡ７（ＮＡＭＩＨＥＩ）を要求するファイル要求信号を接続処理部３８に送信する。
【００５５】
（１−３−５）音楽ファイルの再生
接続処理部３８において中央処理モジュール４３は、制御部３０から送信されるファイル要求信号をシステムインターフェイス４１を介して受信すると、これに応じて第１の記憶媒体２０Ａに記憶している音楽ファイルＭＦ（ＭＦＡ１〜ＭＦＡ７）の中からファイル要求信号に示される音楽ファイルＭＦＡ７（ＮＡＭＩＨＥＩ）を読み出すようにデータ管理モジュール４５を制御する。データ管理モジュール４５は、読み出した音楽ファイルＭＦＡ７（ＮＡＭＩＨＥＩ）を音楽データとしてデコードモジュール４６に送信する。デコードモジュール４６は、圧縮符号化されている音楽データをデコードしてデータインターフェイス４２を介してデータ処理部３４に送信する。データ処理部３４は、接続処理部３８から送信された音楽データに対し所定の再生処理を施した後、アンプやスピーカ等でなる出力部３５に送出する。
【００５６】
このようにして音楽再生装置１０は、第１の提示リストＬＡをユーザに提示して、第１の記憶媒体２０Ａの階層的なフォルダに記憶している音楽ファイルの中から、所望の音楽ファイルをユーザに選択させることにより、この選択させた音楽ファイルを再生して、かかる音楽ファイルに基づく音楽をユーザに聴かせることができる。そして制御部３０は、図７（Ｈ）に示すように、再生している音楽に応じた再生用の画面（以下、これを音楽再生画面と呼ぶ）６０を表示部３７に対して表示させる。
【００５７】
（１−４）複数の記憶媒体からの音楽ファイルの再生
次に、音楽再生装置１０に接続する複数の記憶媒体２０の中から、音楽ファイルを読み出して再生する操作について説明する。この場合、話を簡単にするために、音楽再生装置１０に対して３つの記憶媒体２０が接続した場合について説明する。
【００５８】
（１−４−１）提示リストの生成
接続処理部３８（図４）において中央処理モジュール４３は、音楽再生装置１０に３つの記憶媒体２０（ここでは特に、この３つの記憶媒体２０を、上述した第１の記憶媒体２０Ａと、この第１の記憶媒体２０Ａとは別の第２の記憶媒体２０Ｂ及び第３の記憶媒体２０Ｃとする）のそれぞれが接続したときに、システムインターフェイス４１を介して制御部３０からリスト生成信号が送信されると、かかるリスト生成信号に基づいてデータ管理モジュール４５を制御することにより、第１の記憶媒体２０Ａ、第２の記憶媒体２０Ｂ及び第３の記憶媒体２０Ｃのそれぞれから、管理情報を読み出す。データ管理モジュール４５は、第１の記憶媒体２０Ａ、第２の記憶媒体２０Ｂ及び第３の記憶媒体２０Ｃのそれぞれから読み出した管理情報を管理情報解析モジュール４７に送出する。管理情報解析モジュール４７は、第１の記憶媒体２０Ａ、第２の記憶媒体２０Ｂ及び第３の記憶媒体２０Ｃのそれぞれから読み出した管理情報を解析することにより、第１の記憶媒体２０Ａ、第２の記憶媒体２０Ｂ及び第３の記憶媒体２０Ｃのそれぞれのフォルダの階層構造や音楽ファイルの位置を特定して、それぞれの解析結果をリスト生成モジュール４８に送信する。
【００５９】
実際上、第１の記憶媒体２０Ａの内部には、上述したように、関連情報に基づく識別情報が付されて形成されたツリー状の階層構造でなるフォルダＦｏ（ＦｏＡ１〜ＦｏＡ８）と、その最も下の階層のフォルダＦｏに音楽ファイルＭＦ（ＭＦＡ１〜ＭＦＡ７）が記憶されている（図５）。そして接続処理部３８において管理情報解析モジュール４７は、このような第１の記憶媒体２０Ａの管理情報を解析することにより、第１の記憶媒体２０Ａのフォルダの識別情報や階層構造、音楽ファイルを記録している位置などを特定して、その解析結果をリスト生成モジュール４８に送出する。リスト生成モジュール４８は、管理情報解析モジュール４７から送信された解析結果に基づいて、第１の記憶媒体２０Ａのフォルダの識別情報や階層構造、音楽ファイルを記録している位置などをユーザに提示するための第１の提示リストＬＡ（図６）を生成すると共に、この第１の提示リストＬＡをリスト生成モジュール４８の図示しないメモリに記憶して管理する。
【００６０】
また、第２の記憶媒体２０Ｂの内部には、図８に示すように、第１の記憶媒体２０Ａの場合（図５）と同様にして、関連情報に基づく識別情報が付されて形成されたツリー状の階層構造でなるフォルダＦｏ（ＦｏＢ１〜ＦｏＢ７）と、その最も下の階層のフォルダＦｏに音楽ファイルＭＦ（ＭＦＢ１〜ＭＦＢ５）が予め記憶されている。そして接続処理部３８において管理情報解析モジュール４７は、このような第２の記憶媒体２０Ｂの管理情報を解析することにより、第２の記憶媒体２０Ｂのフォルダの識別情報や階層構造、音楽ファイルを記録している位置などを特定して、その解析結果をリスト生成モジュール４８に送出する。リスト生成モジュール４８は、図９に示すように、第１の提示リストＬＡの場合（図６）と同様にして、管理情報解析モジュール４７から送信された解析結果に基づいて、第２の記憶媒体２０Ｂのフォルダの識別情報や階層構造、音楽ファイルを記録している位置などをユーザに提示するための第２の提示リストＬＢを、この第２の提示リストＬＢをリスト生成モジュール４８の図示しないメモリに記憶して管理する。
【００６１】
さらに、第３の記憶媒体２０Ｃの内部には、図１０に示すように、第１の記憶媒体２０Ａの場合（図５）と同様にして、関連情報に基づく識別情報が付されて形成されたたツリー状の階層構造でなるフォルダＦｏ（ＦｏＣ１〜ＦｏＣ９）と、その最も下の階層のフォルダＦｏに音楽ファイルＭＦ（ＭＦＣ１〜ＭＦＣ６）が予め記憶されている。そして接続処理部３８において管理情報解析モジュール４７は、このような第３の記憶媒体２０Ｃの管理情報を解析することにより、第３の記憶媒体２０Ｃのフォルダの識別情報や階層構造、音楽ファイルを記録している位置などを特定して、その解析結果をリスト生成モジュール４８に送出する。リスト生成モジュール４８は、図１１に示すように、第１の提示リストＬＡの場合（図６）と同様にして、管理情報解析モジュール４７から送信された解析結果に基づいて、第３の記憶媒体２０Ｃのフォルダの識別情報や階層構造、音楽ファイルを記録している位置などをユーザに提示するための第３の提示リストＬＣを生成すると共に、この第３の提示リストＬＣをリスト生成モジュール４８の図示しないメモリに記憶して管理する。
【００６２】
そしてリスト生成モジュール４８は、第１の記憶媒体２０Ａ、第２の記憶媒体２０Ｂ及び第３の記憶媒体２０Ｃのそれぞれに記憶している音楽ファイルやフォルダの階層構造が更新されたときには、図示しないメモリに記憶しているこれら第１の提示リストＬＡ、第２の提示リストＬＢ及び第３の提示リストＬＣのそれぞれを逐次更新する。
【００６３】
（１−４−２）提示リストの統合
次いで音楽再生装置１０の制御部３０は、第１の提示リストＬＡ、第２の提示リストＬＢ及び第３の提示リストＬＣをそれぞれの階層構造を維持したまま１つに統合して、ユーザに提示したときに、第１の記憶媒体２０Ａ、第２の記憶媒体２０Ｂ及び第３の記憶媒体２０Ｃの全ての音楽ファイルが記憶されている位置を、それぞれのフォルダの階層構造に応じてまとめてユーザに提示するためのリスト（以下、これを統合リストと呼ぶ）を生成する。
【００６４】
ここで、図１２を用いてこの統合リストＩＬを説明する。この統合リストＩＬは、第１の提示リストＬＡ（図６）、第２の提示リストＬＢ（図９）及び第３の提示リストＬＣ（図１１）が、それぞれの階層構造を維持した状態で単純に並べて統合されているのではなく、第１の提示リストＬＡ、第２の提示リストＬＢ及び第３の提示リストＬＣの中でそれぞれのフォルダ名を比較して、同じフォルダ名のフォルダが同じ階層構造の同じ階層にあった場合には、これら同じフォルダ名でなるフォルダをあたかも１つのフォルダにまとめたかのようにして提示できるように統合されている。
【００６５】
実際上、第１の提示リストＬＡ（図６）の中でフォルダ番号を介してフォルダ名「ＲＯＯＴ」に後方リンクされている第１階層には、フォルダ名「僕」とフォルダ名「パパ」とが示されており、第２の提示リストＬＢ（図９）の第１階層には、フォルダ名「僕」とフォルダ名「ママ」とが示されており、第３の提示リストＬＣ（図１１）の第１階層には、フォルダ名「僕」とフォルダ名「ママ」とが示されていることにより、接続処理部３８のリスト生成モジュール４８（図４）は、第１の提示リストＬＡの第１階層のフォルダ名「僕」と第２の提示リストＬＢの第１階層のフォルダ名「僕」と第３の提示リストＬＣの第１階層のフォルダ名「僕」とを１つにまとめると共に、第２の提示リストＬＢの第１階層のフォルダ名「ママ」と第３の提示リストＬＣの第１階層のフォルダ名「ママ」とを１つにまとめるようにして、第１の提示リストＬＡ、第２の提示リストＬＢ及び第３の提示リストＬＣを統合して統合リストＩＬを生成するようになされている。
【００６６】
このとき、接続処理部３８のリスト生成モジュール４８は、１つにまとめたフォルダ名「僕」の後方に対して（すなわち１つ下の階層に対して）、第１の提示リストＬＡの中でフォルダ番号を介してフォルダ名「僕」に後方リンクされているフォルダ名「奥花美」と、第２の提示リストＬＢの中でフォルダ番号を介してフォルダ名「僕」に後方リンクされているフォルダ名「ＳＮＡＰ」と、第３の提示リストＬＣの中でフォルダ番号を介してフォルダ名「僕」に後方リンクされているフォルダ名「ＴＲＳ」及びフォルダ名「Ｚｂ」とがリンクされるように、統合リストＩＬのフォルダ番号、前方リンク及び後方リンクを設定する。同様に、接続処理部３８のリスト生成モジュール４８は、１つにまとめたフォルダ名「ママ」の後方に対して（すなわち１つ下の階層に対して）、第２の提示リストＬＢの中でフォルダ番号を介してフォルダ名「ママ」に後方リンクされているフォルダ名「スペック」と、第３の提示リストＬＣの中でフォルダ番号を介してフォルダ名「ママ」に後方リンクされているフォルダ名「Ｍｒｓ．Ａｄｕｌｔｓ」とがリンクされるように、統合リストＩＬのフォルダ番号及び後方リンクを設定する。
【００６７】
また接続処理部３８のリスト生成モジュール４８は、１つにまとめるように処理した以外の部分については、第１の提示リストＬＡ、第２の提示リストＬＢ及び第３の提示リストＬＣの中のそれぞれの階層構造を維持した状態になるように、フォルダ番号、前方リンク及び後方リンクを設定して統合リストＩＬを生成するようになされている。そしてリスト生成モジュール４８は、このようにして生成した統合リストＩＬをリスト生成モジュール４８の図示しないメモリに記憶して管理する。
【００６８】
このようにして、第１の提示リストＬＡ、第２の提示リストＬＢ及び第３の提示リストＬＣをそれぞれの階層構造を維持した状態で統合した統合リストＩＬを予め生成して記憶していることにより、音楽再生装置１０は、第１の記憶媒体２０Ａ、第２の記憶媒体２０Ｂ及び第３の記憶媒体２０Ｃのそれぞれの中に記憶している音楽ファイルＭＦの確認をユーザが望んだときに、第１の提示リストＬＡ、第２の提示リストＬＢ及び第３の提示リストＬＣのそれぞれを何度も切り換えて確認させてユーザに手間をかけさせることなく、この統合リストＩＬを読み出してユーザに提示するだけで、あたかも１つの記憶媒体に階層的に記憶している音楽ファイルＭＦをユーザに提示するかのようにして、第１の記憶媒体２０Ａ、第２の記憶媒体２０Ｂ及び第３の記憶媒体２０Ｃのそれぞれに記憶する音楽ファイルＭＦをそれぞれの階層構造でユーザに確認させることができ、結果として、ユーザが複数の記憶媒体２０の中から所望の音楽ファイルＭＦを容易に見つけることができる。
【００６９】
また、複数の記憶媒体２０の中で、同じ階層構造の同じ階層に同じフォルダ名のフォルダがあった場合には、これらをあたかも１つのフォルダにまとめたかのようにして統合リストＩＬを生成していることにより、音楽再生装置１０は、この統合リストＩＬをユーザに提示したときに、同じ階層に同じフォルダ名のフォルダを複数表示してユーザを困惑させること無く、且つ複数の記憶媒体２０のそれぞれに記憶する音楽ファイルＭＦをそれぞれの階層構造でユーザに確認させることができ、結果として、ユーザが複数の記憶媒体２０の中から所望の音楽ファイルＭＦをより容易に見つけることができる。
【００７０】
そして音楽再生装置１０の制御部３０は、新たに記憶媒体２０が接続されたり、既に接続されていた記憶媒体２０が外されたり、複数の記憶媒体２０のそれぞれに記憶する音楽ファイルやその階層構造が変更される毎に、図示しないメモリに記憶する統合リストＩＬ（図１２）を逐次更新する。
【００７１】
（１−４−３）統合リストＩＬの提示
次いで接続処理部３８において中央処理モジュール４３は、制御部３０からファイル選択要求が送信されると、これに応じて、図示しないメモリに記憶する統合リストＩＬを読み出すようにリスト生成モジュール４８を制御する。リスト生成モジュール４８は、中央処理モジュール４３の制御により、図示しないメモリに記憶する統合リストＩＬを読み出し、読み出した統合リストＩＬのうち、表示部３７に表示する分とユーザの選択操作に応じて表示を僅かにスクロールできるだけの提示単位リストを表示部３７に送信する。表示部３７は、制御部３０の制御により、提示単位リストに応じたリスト提示画面を生成して表示する。
【００７２】
（１−４−４）フォルダ及び音楽ファイルの選択
ここで、統合リストＩＬに基づいてユーザに提示したリスト提示画面において、ユーザの選択操作とユーザの再生操作とを図１３を用いて詳述する。この場合、一例として、リスト提示画面に基づいて、第１の記憶媒体２０Ａ（図５）、第２の記憶媒体２０Ｂ（図８）及び第３の記憶媒体２０Ｃ（図１０）のそれぞれに記憶する音楽ファイルＭＦの中で、第３の記憶媒体２０ＣのフォルダＦｏＣ９（二十六次元）に記憶されている音楽ファイルＭＦＣ７（過去）をユーザが選択して再生する場合の操作について詳述する。
【００７３】
まず、音楽再生装置１０の制御部３０は、図１３（Ａ）に示すように、リスト要求信号に応じて接続処理部３８が送信した提示単位リストに基づくリスト第１の提示画面５０Ａを表示部３７に表示させて、ユーザからの選択操作を待ち受ける。この第１の提示画面５０Ａには、統合リストＩＬ（図１２）のうち、最も上の階層側のフォルダ名「ＲＯＯＴ」の後方にフォルダ番号を介してリンクされている、フォルダ名「僕」の名を付して対応付けているフォルダアイコンＩｆＮ１（僕）と、フォルダ名「パパ」の名を付して対応付けているフォルダアイコンＩｆＮ２（パパ）と、フォルダ名「ママ」の名を付して対応付けているフォルダアイコンＩｆＮ３（ママ）とが示されている。
【００７４】
すなわち、制御部３０は、第１の記憶媒体２０Ａ（図５）に記憶するフォルダＦｏＡ１（ＲＯＯＴ）の中のフォルダＦｏＡ２（僕）及びフォルダＦｏＡ３（パパ）と、第２の記憶媒体２０Ｂ（図８）に記憶するフォルダＦｏＢ１（ＲＯＯＴ）の中のフォルダＦｏＢ２（僕）及びフォルダＦｏＢ３（ママ）と、第３の記憶媒体２０Ｃ（図１０）に記憶するフォルダＦｏＣ１（ＲＯＯＴ）の中のフォルダＦｏＣ２（僕）及びフォルダＦｏＣ３（パパ）とを、あたかも、音楽再生装置１０には１つの記憶媒体２０しか接続していないかのように、同じ名称のフォルダを１つにまとめてユーザに直接提示するような第１階層提示画面５０Ａをユーザに表示する。
【００７５】
音楽再生装置１０の制御部３０は、第１階層提示画面５０Ａ上において、操作部３１へのユーザからの上下選択操作が入力されると、図１３（Ｂ）に示すように、フォルダアイコンＩｆＮ１（僕）、フォルダアイコンＩｆＮ２（パパ）及びフォルダアイコンＩｆＮ３（ママ）のうち、例えばユーザが上下選択したフォルダアイコンＩｆＮ３（ママ）にカーソルＫを移動してこれを選択する。そして制御部３０は、図１３（Ｃ）に示すように、操作部３１へのユーザからの右選択操作が入力されると、統合リストＩＬ（図１２）のうち、第１階層提示画面５０Ａ上において現時点でカーソルＫにより選択されているフォルダアイコンＩｆＮ３（ママ）に対応付けられているフォルダ名「ママ」にフォルダ番号を介して後方リンクされている部分を、第１階層提示画面５０Ａの１つ下の階層の第２階層提示画面５０Ｂとして表示部３７に表示する。
【００７６】
このとき、統合リストＩＬ（図１２）の中で、フォルダ名「スペック」とフォルダ名「Ｍｒｓ.Ａｄｕｌｔｓ」とがフォルダ番号を介してフォルダ名「ママ」に後方リンクしていることにより、この第２階層提示画面５０Ｂ（図１３（Ｃ））には、フォルダ名「スペック」の名を付して対応付けているフォルダアイコンＩｆＮ４（スペック）と、フォルダ名「Ｍｒｓ.Ａｄｕｌｔｓ」の名を付して対応付けているフォルダアイコンＩｆＮ５（Ｍｒｓ.Ａｄｕｌｔｓ）とが示されている。すなわち、音楽再生装置１０の制御部３０は、操作部３１へのユーザからの右選択操作に応じて、あたかも、第２の記憶媒体２０Ｂ（図８）に記憶するフォルダＦｏＢ３（ママ）の中のフォルダＦｏＢ５（スペック）と、第３の記憶媒体２０Ｃ（図１０）に記憶するフォルダＦｏＣ３（ママ）の中のフォルダＦｏＣ６（Ｍｒｓ.Ａｄｕｌｔｓ）とをまとめてユーザに直接提示するかのような第２階層提示画面５０Ｂをユーザに表示する。
【００７７】
音楽再生装置１０の制御部３０は、第２階層提示画面５０Ｂ上において、操作部３１へのユーザからの上下選択操作が入力されると、図１３（Ｄ）に示すように、フォルダアイコンＩｆＮ４（スペック）及びフォルダアイコンＩｆＮ５（Ｍｒｓ.Ａｄｕｌｔｓ）のうち、例えばユーザが上下選択したフォルダアイコンＩｆＮ５（Ｍｒｓ.Ａｄｕｌｔｓ）にカーソルＫを移動してこれを選択する。そして制御部３０は、図１３（Ｅ）に示すように、操作部３１へのユーザからの右選択操作が入力されると、統合リストＩＬ（図１２）のうち、第２階層提示画面５０Ｂ上において現時点でカーソルＫにより選択されているフォルダアイコンＩｆＮ５（Ｍｒｓ.Ａｄｕｌｔｓ）に対応付けられているフォルダ名「Ｍｒｓ.Ａｄｕｌｔｓ」にフォルダ番号を介して後方リンクされている部分を、第２階層提示画面５０Ｂの１つ下の階層の第３階層提示画面５０Ｃとして表示部３７に表示する。
【００７８】
このとき、統合リストＩＬ（図１２）の中で、フォルダ名「二十六次元」がフォルダ番号を介してフォルダ名「Ｍｒｓ.Ａｄｕｌｔｓ」に後方リンクしていることにより、この第３階層提示画面５０Ｃには、フォルダ名「二十六次元」の名を付して対応付けているフォルダアイコンＩｆＮ６（二十六次元）が示されている。すなわち、音楽再生装置１０の制御部３０は、操作部３１へのユーザからの右選択操作に応じて、あたかも、第３の記憶媒体２０Ｃ（図１０）に記憶するフォルダＦｏＣ６（Ｍｒｓ.Ａｄｕｌｔｓ）の中のフォルダＦｏＣ９（二十六次元）をユーザに直接提示するかのような第３階層提示画面５０Ｃをユーザに表示する。
【００７９】
音楽再生装置１０の制御部３０は、第３階層提示画面５０Ｃ上において、操作部３１へのユーザからの上下選択操作及び右選択操作が入力されると、図１３（Ｆ）に示すように、統合リストＩＬ（図１２）の中で、第３階層提示画面５０Ｃ上において現時点でカーソルＫにより選択されているフォルダアイコンＩｆＮ６（二十六次元）に対応付けられているフォルダ名「二十六次元」に対応付けられている部分を、第３階層提示画面５０Ｃの１つ下の階層の第４階層提示画面５０Ｄとして表示部３７に表示する。
【００８０】
このとき、統合リストＩＬ（図１２）の中で、タイトル「ランニングシャツ」とタイトル「Ｗｉｎｄｏｗ」とタイトル「過去」とがフォルダ名「二十六次元」に対応付けられていることにより、この第４階層提示画面５０Ｄには、タイトル「ランニングシャツ」の名を付して対応付けている音楽アイコンＩｍＮ１（ランニングシャツ）と、タイトル「Ｗｉｎｄｏｗ」の名を付して対応付けている音楽アイコンＩｍＮ２（Ｗｉｎｄｏｗ）と、タイトル「過去」の名を付して対応付けている音楽アイコンＩｍＮ３（過去）とが示されている。すなわち、音楽再生装置１０の制御部３０は、操作部３１へのユーザからの右選択操作に応じて、あたかも、第３の記憶媒体２０Ｃ（図１０）に記憶するフォルダＦｏＣ９（二十六次元）の中の音楽ファイルＭＦＣ４（ランニングシャツ）と音楽ファイルＭＦＣ５（Ｗｉｎｄｏｗ）と音楽ファイルＭＦＣ６（過去）とをユーザに直接提示するかのような第４階層提示画面５０Ｄをユーザに表示する。
【００８１】
音楽再生装置１０の制御部３０は、第４層のリスト提示画面５０Ｄ上において、操作部３１へのユーザからの上下選択操作が入力されると、図１３（Ｇ）に示すように、音楽アイコンＩｍＮ１（ランニングシャツ）、音楽アイコンＩｍＮ２（Ｗｉｎｄｏｗ）及び音楽アイコンＩｍＮ３（過去）のうち、例えばユーザが上下選択した音楽アイコンＩｍＮ３（過去）にカーソルＫを移動してこれを選択する。そして制御部３０は、例えば、操作部３１としての図示しない再生ボタンがユーザに押下されて再生操作が入力されると、統合リストＩＬ（図１２）に基づいて、音楽アイコンＩｍＮ３（過去）に対応付けられている、第３の記憶媒体２０Ｃに記憶する音楽ファイルＭＦＣ６（過去）を要求するファイル要求信号を接続処理部３８に送信する。
【００８２】
このようにして音楽再生装置１０は、操作部３１へのユーザからの選択操作に応じて、複数のリスト（この場合、第１の提示リストＬＡ、第２の提示リストＬＢ及び第３の提示リストＬＣ）をそれぞれの階層構造を維持した状態で統合した統合リストＩＬ（図１２）をユーザに提示して音楽ファイルＭＦを選択させるようにしたことにより、あたかも１つの記憶媒体に階層的に記憶している音楽ファイルＭＦをユーザに提示するかのようにして、複数の記憶媒体２０（この場合、第１の記憶媒体２０Ａ、第２の記憶媒体２０Ｂ及び第３の記憶媒体２０Ｃ）のそれぞれに記憶する音楽ファイルＭＦをそれぞれの階層構造でユーザに確認させることができ、その結果として、ユーザが複数の記憶媒体２０のそれぞれに記憶する音楽ファイルの中から所望の音楽ファイルを容易に見つけることができる。
【００８３】
またこのとき、音楽再生装置１０は、複数の記憶媒体２０の中で、同じ階層構造の同じ階層に同じフォルダ名のフォルダがあった場合には、これらをあたかも１つのフォルダにまとめたかのようにして統合リストＩＬ（図１２）を生成するようにしたことにより、この統合リストＩＬをユーザに提示したとき、同じ階層構造の同じ階層に同じフォルダ名のフォルダを複数表示してユーザを困惑させること無く、且つ複数の記憶媒体２０のそれぞれに記憶する音楽ファイルＭＦをそれぞれの階層構造でユーザに確認させることができ、結果として、ユーザが複数の記憶媒体２０のそれぞれに記憶する音楽ファイルの中から所望の音楽ファイルをより容易に見つけることができる。
【００８４】
（１−４−５）音楽ファイルの再生
接続処理部３８において中央処理モジュール４３は、制御部３０から送信されるファイル要求信号をシステムインターフェイス４１を介して受信すると、これに応じて第３の記憶媒体２０Ｃ（図１０）に記憶している音楽ファイルＭＦの中からファイル要求信号に示される音楽ファイルＭＦＣ６（過去）を読み出すようにデータ管理モジュール４５を制御する。データ管理モジュール４５は、読み出した音楽ファイルＭＦＣ６（過去）を音楽データとしてデコードモジュール４６に送信する。デコードモジュール４６は、圧縮符号化されている音楽データをデコードしてデータインターフェイス４２を介してデータ処理部３４に送信する。データ処理部３４は、接続処理部３８から送信された音楽データに対し所定の再生処理を施した後、アンプやスピーカ等でなる出力部３５に送出する。
【００８５】
このようにして音楽再生装置１０は、統合リストＩＬ（図１２）をユーザに提示して、第１の記憶媒体２０Ａ、第２の記憶媒体２０Ｂ及び第３の記憶媒体２０Ｃのそれぞれに階層的に記憶している音楽ファイルＭＦの中から、所望の音楽ファイルＭＦをユーザに選択させることにより、この選択させた音楽ファイルＭＦを再生して、かかる音楽ファイルＭＦに基づく音楽をユーザに聴かせることができる。そして制御部３０は、図１３（Ｈ）に示すように、再生している音楽に応じた音楽再生画面６０を表示部３７に対して表示させる。
【００８６】
（１−５）リスト生成処理手順
ここで、上述した音楽再生装置１０における、統合リストＩＬ（図１２）の生成に関する処理の手順（以下、これをリスト生成処理手順と呼ぶ）について、図１４に示すフローチャートに沿って詳しく説明する。音楽再生装置１０の制御部３０は、接続処理部３８を介して複数の記憶媒体２０が接続されるとリスト生成処理手順ＲＴ１を開始し、ステップＳＰ１において複数の記憶媒体２０のそれぞれから管理情報を読み出し、次のステップＳＰ２に移る。
【００８７】
ステップＳＰ２において音楽再生装置１０の制御部３０は、複数の記憶媒体２０のそれぞれから読み出した管理情報に基づいて、複数の記憶媒体２０のそれぞれのフォルダの階層構造や音楽ファイルを記憶している位置をユーザに提示するための提示リストをそれぞれ生成する。そして制御部３０は、これら複数の記憶媒体２０のそれぞれの提示リストをそれぞれの階層構造を維持したまま１つに統合して統合リストＩＬを生成して図示しないメモリに記憶し、次のステップＳＰ３に移ってかかるリスト生成処理手順ＲＴ１を終了する。
【００８８】
このようなリスト生成処理手順ＲＴ１により、音楽再生装置１０は、複数の記憶媒体２０に記憶する全ての音楽ファイルを容易に見つけ得る統合リストＩＬを生成するようになされている。
【００８９】
（１−６）再生処理手順
次いで、上述した音楽再生装置１０における、統合リストＩＬ（図１２）に基づいてユーザが音楽ファイルＭＦを選択して再生する処理の手順（以下、これを再生処理手順と呼ぶ）について、図１５に示すフローチャートに沿って詳しく説明する。音楽再生装置１０の制御部３０は、操作部３１を介してユーザからファイル選択要求が入力されると、再生処理手順ＲＴ２を開始し、ステップＳＰ１１において図示しないメモリに記憶する統合リストＩＬを読み出して、この統合リストＩＬのうち、表示部３７に表示する分とユーザの選択操作に応じて表示を僅かにスクロールできるだけの提示単位リストを表示部３７に送信してユーザに表示し、次のステップＳＰ１２に移る。
【００９０】
ステップＳＰ１２において制御部３０は、ユーザからの選択操作（すなわち、上下選択操作、右選択操作及び左選択操作）が入力されたか否かを判別する。このステップＳＰ１２において肯定結果が得られると、このことは、ユーザが未だ音楽ファイルを選択している途中であり、ユーザから選択操作が入力されたことを示している。従ってこのとき制御部３０はステップＳＰ１３に移り、ユーザからの選択操作に応じて表示部３７に表示するリスト提示画面を切り換えて、ステップＳＰ１２において否定結果が得られるまで、上述したこのステップＳＰ１２〜ステップＳＰ１３の処理を繰り返す。
【００９１】
これに対し、このステップＳＰ１２において否定結果が得られると、このことは、ユーザが音楽ファイルを選択し終えたことを示している。従ってこのとき制御部３０は、ステップＳＰ１４に移る。
【００９２】
ステップＳＰ１４において制御部３０は、ユーザからの再生操作が入力されたか否かを判別する。このステップＳＰ１４において否定結果が得られると、このことは、ユーザが音楽ファイルの再生操作を行わないまま席を立ったことを示している。従ってこのとき制御部３０は、ステップＳＰ１２に戻り、ユーザからの操作入力を待ち受ける。
【００９３】
これに対し、このステップＳＰ１４において肯定結果が得られると、このことは、選択した音楽ファイルＭＦの聴取をユーザが望んでいることを示している。従ってこのとき制御部３０は、次のステップＳＰ１５に移る。
【００９４】
ステップＳＰ１５において制御部３０は、ユーザからの再生操作に応じた音楽ファイルＭＦを複数の記憶媒体２０の中から読み出して再生し、この音楽ファイルＭＦに基づく音楽を出力部３５から出力してユーザに聴取させる。そして制御部３０は、ステップＳＰ１２に戻り、上述したステップＳＰ１２〜ステップＳＰ１５の処理を繰り返す。
【００９５】
このような再生処理手順ＲＴ２により、音楽再生装置１０は、複数の記憶媒体２０に記憶する音楽ファイルの中から、ユーザの所望する音楽ファイルを順次再生して、この音楽ファイルに基づく音楽をユーザに聴取させるようになされている。
【００９６】
（１−７）第１の実施の形態の動作及び効果
以上の構成において、音楽再生装置１０は、自身に接続する複数の記憶媒体２０のそれぞれから管理情報を読み出し、これら複数の記憶媒体２０のそれぞれの管理情報に基づいて、複数の記憶媒体２０のそれぞれのフォルダの階層構造や音楽ファイルを記憶している位置をユーザに提示するための提示リストをそれぞれ生成する。そして音楽再生装置１０は、これら複数の記憶媒体２０のそれぞれの提示リストをそれぞれの階層構造を維持したまま１つに統合して統合リストＩＬを生成するようにした。
【００９７】
従って音楽再生装置１０は、複数の記憶媒体２０の中に記憶している音楽ファイルＭＦの確認をユーザが望んだときに、複数の提示リストを何度も切り換えて確認させてユーザに手間をかけさせることなく、この統合リストＩＬを読み出してユーザに提示するだけで、あたかも１つの記憶媒体に階層的に記憶している音楽ファイルＭＦをユーザに提示するかのようにして、複数の記憶媒体２０のそれぞれに記憶する音楽ファイルＭＦをそれぞれの階層構造でユーザに確認させることができ、結果として、ユーザが複数の記憶媒体２０の中から所望の音楽ファイルＭＦを容易に見つけることができる。
【００９８】
また音楽再生装置１０は、複数の記憶媒体２０の中で、同じ階層構造の同じ階層に同じフォルダ名のフォルダがあった場合には、これらをあたかも１つのフォルダにまとめたかのようにして統合リストＩＬ（図１２）を生成するようにした。
【００９９】
従って音楽再生装置１０は、この統合リストＩＬをユーザに提示したとき、同じ階層構造の同じ階層に同じフォルダ名のフォルダを複数表示してユーザを困惑させること無く、且つ複数の記憶媒体２０のそれぞれに記憶する音楽ファイルＭＦをそれぞれの階層構造でユーザに確認させることができ、結果として、ユーザが複数の記憶媒体２０のそれぞれに記憶する音楽ファイルの中から所望の音楽ファイルをより容易に見つけることができる。
【０１００】
以上の構成によれば、音楽再生装置１０は、音楽ファイルＭＦと、当該音楽ファイルＭＦを所定の階層構造で管理する管理情報とを記憶する複数の記憶媒体２０のそれぞれから管理情報を読み出して、これら複数の記憶媒体２０のそれぞれの管理情報に基づいて、複数の記憶媒体のそれぞれの階層構造を維持したまま統合したリストを生成するようにしたことにより、複数の記憶媒体２０に記憶する全ての音楽ファイルＭＦを容易に見つけ得る統合リストＩＬを生成でき、かくして、ユーザが複数の記憶媒体２０の中から所望の音楽ファイルＭＦを容易に見つけることができる。
【０１０１】
（１−８）第１の実施の形態に対する他の実施の形態
なお上述した第１の実施の形態においては、複数の記憶媒体２０として特に第１の記憶媒体２０Ａ、第２の記憶媒体２０Ｂ及び第３の記憶媒体２０Ｃの３つを適用した場合について述べたが、本発明はこれに限らず、記憶媒体２０が複数あるのであれば、その数は限定しないし、それぞれの記憶媒体２０に記憶する音楽ファイルＭＦの数やその階層構造の階層数も特に限定しない。
【０１０２】
また上述した第１の実施の形態においては、圧縮符号化した音楽データを音楽ファイルＭＦとして複数の記憶媒体２０のそれぞれに記憶するようにした場合について述べたが、本発明はこれに限らず、複数の記憶媒体２０のそれぞれに記憶するのは、無圧縮の音楽データや画像データ、動画データ、テキストデータ等、この他種々のデータをファイルとして記憶するようにしても良く、その場合も、提示リストや統合リストＩＬを生成してユーザに提示するようにすることで、上述した第１の実施の形態と同様の効果を得ることができる。
【０１０３】
さらに上述した第１の実施の形態においては、複数の記憶媒体２０のそれぞれの提示リストの中で、「ＲＯＯＴ」の直下の第１階層で同じフォルダ名（この場合、「僕」や「ママ」）が存在するときには１つにまとめるようにした場合について述べたが、本発明はこれに限らず、複数の記憶媒体２０のそれぞれの階層構造を維持できるのであれば、どの階層であっても、同じフォルダ名があるときには１つにまとめるようにしても良い。そうすることで、音楽再生装置１０は、同じ階層構造の同じ階層に同じフォルダ名のフォルダを複数表示してユーザを困惑させること無く、且つ複数の記憶媒体２０のそれぞれに記憶する音楽ファイルＭＦをそれぞれの階層構造でユーザに確認させることができ、結果として、ユーザが複数の記憶媒体２０の中から所望の音楽ファイルＭＦをより容易に見つけることができる。
【０１０４】
さらに上述した第１の実施の形態においては、複数の記憶媒体２０のそれぞれの提示リストの中で、「ＲＯＯＴ」の直下の第１階層で同じフォルダ名（この場合、「僕」や「ママ」）が存在するときには１つにまとめるようにした場合について述べたが、本発明はこれに限らず、同じフォルダ名が存在するときには、同じ名前でなるそれぞれのフォルダ名に通し番号などを付加して変更することで区別するようにしても良い。そうすることで、音楽再生装置１０は、同じ階層構造の同じ階層に同じフォルダ名のフォルダを複数表示してユーザを困惑させることを回避できる。
【０１０５】
さらに上述した第１の実施の形態においては、複数の記憶媒体２０のそれぞれの階層構造として、「ＲＯＯＴ」以下、「個人識別情報→アーティスト名→アルバム名」順でそれぞれのフォルダ名（識別情報）でなるフォルダが連なった階層構造を適用するようにした場合について述べたが、本発明はこれに限らず、「ＲＯＯＴ」以下、「ジャンル→アーティスト名→アルバム」のように「個人識別情報」の代わりに「ジャンル」のフォルダ名でなるフォルダを加えた階層構造であっても良く、つまりは、複数の記憶媒体２０のそれぞれの階層構造は特に限定せず、階層の種類や数、各階層毎の枝分かれの仕方や数等はユーザの好みにより自由にカスタマイズできるものとする。この場合も、複数の記憶媒体２０のそれぞれの階層構造を維持した状態で統合したような統合リストＩＬを生成することで、上述した第１の実施の形態の場合と同様の効果を得ることができる。
【０１０６】
さらに上述した実施の形態においては、各提示リスト（この場合第１の提示リストＬＡ、第２の提示リストＬＢ及び第３の提示リストＬＣ）や統合リストＩＬに基づいたリスト提示画面を表示部３７に表示するとき、それぞれのリストのフォルダ名やタイトルを付して対応付けたアイコンを提示したリスト提示画面を表示部３７に表示するようにした場合について述べたが、本発明はこれに限らず、それぞれのリストのフォルダ名やタイトルをそのまま提示したリスト提示画面を表示部３７に表示するようにしても良く、それぞれのリストに基づくリスト提示画面を表示部３７に表示するのであれば、その表示方法は特に限定しない。
【０１０７】
さらに上述した第１の実施の形態においては、図示しないメモリに記憶する第１の提示リストＬＡや統合リストＩＬを読み出し、読み出した第１の提示リストＬＡや統合リストＩＬのうち、表示部３７に表示する分とユーザの選択操作に応じて表示を僅かにスクロールできるだけの提示単位リストを表示部３７に送信するようにした場合について述べたが、本発明はこれに限らず、読み出した第１の提示リストＬＡや統合リストＩＬを一度に表示部３７に送信して、例えば表示部３７のバッファに記憶させておくようにしても良い。その場合、表示部３７でのリスト提示画面の切り換えの毎に制御部３０と接続処理部３８との間でやりとりをしなくて済む分だけ、音楽再生装置１０の全体として表示部３７にリストを提示する処理の負荷を低減することができる。
【０１０８】
さらに上述した第１の実施の形態においては、再生操作を図示しない再生ボタンへの押下操作に割り当てるようにした場合について述べたが、本発明はこれに限らず、この再生操作を図示しない十字キーを右方向に動かす右選択操作に割り当てても良い。このようにすることで、音楽再生装置１０は、図示しない十字キーだけでユーザに選択操作と再生操作をさせることができる。
【０１０９】
さらに上述した第１の実施の形態においては、ユーザが提示リスト（第１の提示リストＬＡ、第２の提示リストＬＢ及び第３の提示リストＬＣ）や統合リストＩＬに示されている音楽ファイルＭＦを選択操作により選択して再生操作したとき、この選んだ音楽ファイルＭＦだけを再生してユーザに聴取させるようにした場合について述べたが、本発明はこれに限らず、ユーザが選択した音楽ファイルを再生した後は、提示リスト（第１の提示リストＬＡ、第２の提示リストＬＢ及び第３の提示リストＬＣ）や統合リストＩＬに記載されているトラック番号に従って順次音楽ファイルＭＦを再生するようにしても良い。
【０１１０】
さらに上述した第１の実施の形態においては、統合リストＩＬにより、あたかも１つの記憶媒体２０であるかのようにして、複数の記憶媒体２０のそれぞれに記憶する音楽ファイルＭＦを選択して再生するようにした場合について述べたが、本発明はこれに限らず、設定によって、複数の記憶媒体２０のそれぞれに個別にアクセスして、そこに記憶する音楽ファイルを選択して再生するようにしても良い。
【０１１１】
（２）第２の実施の形態
第２の実施の形態の場合、音楽再生装置１０の構成は上述の第１の実施の形態の場合（図３及び図４）と同様であり、この音楽再生装置１０に接続する３つの第１の記憶媒体２０Ａ、第２の記憶媒体２０Ｂ及び第３の記憶媒体２０Ｃに記憶されている音楽ファイルＭＦが、それぞれの階層構造の最も下の階層のフォルダＦｏだけでなく、途中の階層のフォルダＦｏにも記憶されている点において第１の実施の形態とは相違する。
【０１１２】
以下、第２の実施の形態の場合における、第１の記憶媒体２０Ａ、第２の記憶媒体２０Ｂ及び第３の記憶媒体２０Ｃのそれぞれの提示リスト（すなわち、第１の提示リストＬＡ、第２の提示リストＬＢ及び第３の提示リストＬＣ）を生成する処理と、生成した第１の記憶媒体２０Ａの第１の提示リストＬＡ、第２の記憶媒体２０Ｂの第２の提示リストＬＢ及び第３の記憶媒体２０Ｃの第３の提示リストＬＣを統合して統合リストＩＬを生成する処理とを順に説明する。
【０１１３】
（２−１）提示リストの生成
接続処理部３８（図４）において中央処理モジュール４３は、音楽再生装置１０に第１の記憶媒体２０Ａ、第２の記憶媒体２０Ｂ及び第３の記憶媒体２０Ｃのそれぞれが接続したときに、システムインターフェイス４１を介して制御部３０からリスト生成信号が送信されると、上述の第１の実施の形態の場合と同様にして、かかるリスト生成信号に基づいてデータ管理モジュール４５を制御することにより、第１の記憶媒体２０Ａ、第２の記憶媒体２０Ｂ及び第３の記憶媒体２０Ｃのそれぞれから、管理情報を読み出す。データ管理モジュール４５は、第１の記憶媒体２０Ａ、第２の記憶媒体２０Ｂ及び第３の記憶媒体２０Ｃのそれぞれから読み出した管理情報を管理情報解析モジュール４７に送出する。管理情報解析モジュール４７は、第１の記憶媒体２０Ａ、第２の記憶媒体２０Ｂ及び第３の記憶媒体２０Ｃのそれぞれから読み出した管理情報を解析することにより、第１の記憶媒体２０Ａ、第２の記憶媒体２０Ｂ及び第３の記憶媒体２０Ｃのそれぞれのフォルダの階層構造や音楽ファイルの位置を特定して、それぞれの解析結果をリスト生成モジュール４８に送信する。
【０１１４】
実際上、第１の記憶媒体２０Ａの内部には、図１６に示すように、関連情報に基づく識別情報が付されて形成されたツリー状の階層構造でなるフォルダＦｏ（ＦｏＡ１〜ＦｏＡ８）と、その最も下の階層のフォルダＦｏに音楽ファイルＭＦ（ＭＦＡ１〜ＭＦＡ７）が記憶されていると共に、フォルダＦｏＡ１（ＲＯＯＴ）の直下にも音楽ファイルＭＦＡ８が記憶されている。ちなみに、この音楽ファイルＭＦ８は、例えば、「ママ」を示す個人識別情報（すなわちフォルダ名）が付されたフォルダが無いことに応じてママがフォルダＦｏＡ１（ＲＯＯＴ）の中に記憶させたものである。そして接続処理部３８において管理情報解析モジュール４７は、このような第１の記憶媒体２０Ａの管理情報を解析することにより、第１の記憶媒体２０Ａのフォルダの識別情報や階層構造、音楽ファイルを記録している位置などを特定して、その解析結果をリスト生成モジュール４８に送出する。リスト生成モジュール４８は、図１７に示すように、管理情報解析モジュール４７から送信された解析結果に基づいて、第１の記憶媒体２０Ａのフォルダの識別情報や階層構造、音楽ファイルを記録している位置などをユーザに提示するための第１の提示リストＬＡを生成すると共に、この第１の提示リストＬＡをリスト生成モジュール４８の図示しないメモリに記憶して管理する。
【０１１５】
また、第２の記憶媒体２０Ｂの内部には、図１８に示すように、関連情報に基づく識別情報が付されて形成されたツリー状の階層構造でなるフォルダＦｏ（ＦｏＢ１〜ＦｏＢ７）と、その最も下の階層のフォルダＦｏに音楽ファイルＭＦ（ＭＦＢ１〜ＭＦＢ５）が予め記憶されていると共に、フォルダＦｏＢ３（ママ）の直下にも音楽ファイルＭＦＢ６が記憶されている。ちなみに、この音楽ファイルＭＦＢ６は、例えば、この音楽ファイルＭＦＢ６に関連するアーティストのフォルダが無いことに応じてユーザ（この場合「ママ」）がフォルダＦｏＢ３（ママ）の中に記憶させたものである。そして接続処理部３８において管理情報解析モジュール４７は、このような第２の記憶媒体２０Ｂの管理情報を解析することにより、第２の記憶媒体２０Ｂのフォルダの識別情報や階層構造、音楽ファイルを記録している位置などを特定して、その解析結果をリスト生成モジュール４８に送出する。リスト生成モジュール４８は、図１９に示すように、管理情報解析モジュール４７から送信された解析結果に基づいて、第２の記憶媒体２０Ｂのフォルダの識別情報や階層構造、音楽ファイルを記録している位置などをユーザに提示するための第２の提示リストＬＢを生成すると共に、この第２の提示リストＬＢをリスト生成モジュール４８の図示しないメモリに記憶して管理する。
【０１１６】
さらに、第３の記憶媒体２０Ｃの内部には、図２０に示すように、関連情報に基づく識別情報が付されて形成されたたツリー状の階層構造でなるフォルダＦｏ（ＦｏＣ１〜ＦｏＣ９と、その最も下の階層のフォルダＦｏに音楽ファイルＭＦ（ＭＦＣ１〜ＭＦＣ６）が予め記憶されていると共に、フォルダＦｏＣ６（Ｍｒｓ.Ａｄｕｌｔｓ）の直下にも音楽ファイルＭＦＣ７が記憶されている。ちなみに、この音楽ファイルＭＦＣ７は、例えば、この音楽ファイルＭＦＣ７に関連するアルバムのフォルダが無いことに応じてユーザ（この場合「ママ」）がフォルダＦｏＣ６（Ｍｒｓ.Ａｄｕｌｔｓ）の中に記憶させたものである。そして接続処理部３８において管理情報解析モジュール４７は、このような第３の記憶媒体２０Ｃの管理情報を解析することにより、第３の記憶媒体２０Ｃのフォルダの識別情報や階層構造、音楽ファイルを記録している位置などを特定して、その解析結果をリスト生成モジュール４８に送出する。リスト生成モジュール４８は、図２１に示すように、管理情報解析モジュール４７から送信された解析結果に基づいて、第３の記憶媒体２０Ｃのフォルダの識別情報や階層構造、音楽ファイルを記録している位置などをユーザに提示するための第３の提示リストＬＣを生成すると共に、この第３の提示リストＬＣをリスト生成モジュール４８の図示しないメモリに記憶して管理する。
【０１１７】
そしてリスト生成モジュール４８は、第１の記憶媒体２０Ａ、第２の記憶媒体２０Ｂ及び第３の記憶媒体２０Ｃのそれぞれに記憶している音楽ファイルＭＦやフォルダＦｏの階層構造が更新されたときには、図示しないメモリに記憶しているこれら第１の提示リストＬＡ、第２の提示リストＬＢ及び第３の提示リストＬＣのそれぞれを逐次更新する。
【０１１８】
（２−２）提示リストの統合
次いで音楽再生装置１０の制御部３０は、上述した第１の実施の形態の場合と同様にして、第１の記憶媒体２０Ａ、第２の記憶媒体２０Ｂ及び第３の記憶媒体２０Ｃの第１の提示リストＬＡ、第２の提示リストＬＢ及び第３の提示リストＬＣを、それぞれの階層構造を維持したまま、且つ、同じフォルダ名のフォルダが同じ階層構造の同じ階層にあった場合には、これら同じフォルダ名でなるフォルダをあたかも１つのフォルダにまとめたかのようにして提示できるように統合することで、統合リストＩＬを生成する。
【０１１９】
実際上この統合リストＩＬは、図２２に示すように、第１の提示リストＬＡ（図１７）の中でフォルダ名「ＲＯＯＴ」に対応付けられているタイトル「サファイアの指輪」と、第２の提示リストＬＢ（図１９）の中でフォルダ名「ママ」に対応付けられているタイトル「ドーロ第二章」と、第３の提示リストＬＣ（図２１）の中でフォルダ名「Ｍｒｓ．
Ａｄｕｌｔｓ」に対応付けられているタイトル「太陽になれたら」とが、それぞれの階層構造を維持したまま統合されている。
【０１２０】
このようにして音楽再生装置１０は、第１の提示リストＬＡ、第２の提示リストＬＢ及び第３の提示リストＬＣを１つに統合して統合リストＩＬを生成するとき、ユーザのカスタマイズに応じて第１の提示リストＬＡ、第２の提示リストＬＢ及び第３の提示リストＬＣのそれぞれの階層構造の途中に音楽ファイルＭＦが記載されていたとしても、かかる階層構造を維持したまま統合して統合リストＩＬを生成する。これにより音楽再生装置１０は、この統合リストＩＬを提示することで、第１の記憶媒体２０Ａ、第２の記憶媒体２０Ｂ及び第３の記憶媒体２０Ｃの第１の提示リストＬＡのそれぞれに記憶されている音楽ファイルＭＦを、ユーザがカスタマイズしたままの階層構造に応じて選択させることができ、結果として、ユーザが複数の記憶媒体２０の中から所望の音楽ファイルＭＦをより容易に見つけることができる。
【０１２１】
そして音楽再生装置１０の制御部３０は、新たに記憶媒体２０が接続されたり、既に接続されていた記憶媒体２０が外されたり、複数の記憶媒体２０のそれぞれに記憶する音楽ファイルやその階層構造が変更される毎に、図示しないメモリに記憶する、統合リストＩＬ（図２２）を逐次更新する。
【０１２２】
（２−３）統合リストの提示
次いで音楽再生装置１０の制御部３０は、操作部３１へのユーザの入力操作に応じて、複数の記憶媒体２０のそれぞれに記憶されている音楽ファイルＭＦを選択するファイル選択要求が入力されると、接続処理部３８に対し、統合リストＩＬを要求するリスト要求信号を送信する。接続処理部３８において中央処理モジュール４３は、制御部３０からファイル選択要求が送信されると、これに応じて、図示しないメモリに記憶する統合リストＩＬを読み出すようにリスト生成モジュール４８を制御する。リスト生成モジュール４８は、中央処理モジュール４３の制御により、図示しないメモリに記憶する統合リストＩＬを読み出し、読み出した統合リストＩＬのうち、表示部３７に表示する分とユーザの選択操作に応じて表示を僅かにスクロールできるだけの提示単位リストを表示部３７に送信する。表示部３７は、制御部３０の制御により、提示単位リストに応じたリスト提示画面を生成して表示する。
【０１２３】
（２−４）フォルダ及び音楽ファイルの選択
次いで、統合リストＩＬに基づいてユーザに提示したリスト提示画面において、ユーザの選択操作とユーザの再生操作とを図２３を用いて詳述する。この場合、一例として、リスト提示画面に基づいて、第１の記憶媒体２０Ａ（図５）、第２の記憶媒体２０Ｂ（図８）及び第３の記憶媒体２０Ｃ（図１０）のそれぞれに記憶する音楽ファイルＭＦの中で、第１の記憶媒体２０ＡのフォルダＦｏＡ１（ＲＯＯＴ）の直下に記憶されている音楽ファイルＭＦＡ８（サファイアの指輪）をユーザが選択する場合の操作について詳述する。
【０１２４】
まず、音楽再生装置１０の制御部３０は、図２３（Ａ）に示すように、リスト要求信号に応じて接続処理部３８が送信した提示単位リストに基づくリスト第１の提示画面５０Ａを表示部３７に表示させて、ユーザからの選択操作を待ち受ける。この第１の提示画面５０Ａには、統合リストＩＬ（図２２）のうち、最も上の階層側のフォルダ名「ＲＯＯＴ」の後方にフォルダ番号を介してリンクされている、フォルダ名「僕」の名を付して対応付けているフォルダアイコンＩｆＮ１（僕）とフォルダ名「パパ」の名を付して対応付けているフォルダアイコンＩｆＮ２（パパ）とフォルダ名「ママ」の名を付して対応付けているフォルダアイコンＩｆＮ３（ママ）とが示されている。実際上、この第１の提示画面５０Ａには、統合リストＩＬ（図２２）のうち、フォルダ名「ＲＯＯＴ」に対応付けられているタイトル「サファイアの指輪」名を付して対応付けている音楽アイコンＩｍＮ１（サファイアの指輪）も一緒に示されるはずなのだが、表示部３７に同時に表示可能なアイコン（リスト）は３行分であるので、この時点では音楽アイコンＩｍＮ１（サファイアの指輪）は表示されない。
【０１２５】
次いで音楽再生装置１０の制御部３０は、第１階層提示画面５０Ａ上において、操作部３１へのユーザからの上下選択操作が入力されると、図２３（Ｂ）に示すように、上下選択操作に応じて表示部３７に表示する第１階層提示画面５０Ａをスクロールさせて、フォルダアイコンＩｆＮ１（僕）を表示部３７の表示から外す（以下、これをスクロールアウトすると呼ぶ）と共に、フォルダアイコンＩｆＮ２（パパ）及びフォルダアイコンＩｆＮ３（ママ）を上にスクロールさせてその下に音楽アイコンＩｍＮ１（サファイアの指輪）を表示させる（以下、これをスクロールインすると呼ぶ）。制御部３０は、このスクロールした後の第１階層提示画面５０Ａ上において、フォルダアイコンＩｆＮ２（パパ）、フォルダアイコンＩｆＮ３（ママ）及び音楽アイコンＩｍＮ１（サファイアの指輪）のうち、例えばユーザが上下選択した音楽アイコンＩｍＮ１（サファイアの指輪）にカーソルＫを移動してこれを選択する。そして制御部３０は、例えば、操作部３１としての図示しない再生ボタンがユーザに押下されて再生操作が入力されると、統合リストＩＬ（図２２）に基づいて、音楽アイコンＩｍＮ１（サファイアの指輪）に対応付けられている、第１の記憶媒体２０Ａに記憶する「サファイアの指輪」音楽ファイルＭＦＣ６を要求するファイル要求信号を接続処理部３８に送信する。
【０１２６】
このようにして音楽再生装置１０は、ユーザのカスタマイズに応じて複数の記憶媒体２０の階層構造の途中に音楽ファイルＭＦが記憶されている場合に、その階層構造を維持したまま統合したような統合リストＩＬ（図２２）を生成するようにしたことにより、この統合リストＩＬを提示することで、第１の記憶媒体２０Ａ、第２の記憶媒体２０Ｂ及び第３の記憶媒体２０Ｃの第１の提示リストＬＡのそれぞれに記憶されている音楽ファイルＭＦを、ユーザがカスタマイズしたままの階層構造に応じて選択させることができ、結果として、ユーザが複数の記憶媒体２０の中から所望の音楽ファイルＭＦをより容易に見つけることができる。
【０１２７】
（２−５）音楽ファイルの再生
接続処理部３８において中央処理モジュール４３は、制御部３０から送信されるファイル要求信号をシステムインターフェイス４１を介して受信すると、これに応じて第１の記憶媒体２０Ａ（図１６）に記憶している音楽ファイルＭＦの中からファイル要求信号に示される音楽ファイルＭＦＡ８（サファイアの指輪）を読み出すようにデータ管理モジュール４５を制御する。データ管理モジュール４５は、読み出した音楽ファイルＭＦＡ８（サファイアの指輪）を音楽データとしてデコードモジュール４６に送信する。デコードモジュール４６は、圧縮符号化されている音楽データをデコードしてデータインターフェイス４２を介してデータ処理部３４に送信する。データ処理部３４は、接続処理部３８から送信された音楽データに対し所定の再生処理を施した後、アンプやスピーカ等でなる出力部３５に送出する。
【０１２８】
このようにして音楽再生装置１０は、統合リストＩＬ（図２２）をユーザに提示して、第１の記憶媒体２０Ａ、第２の記憶媒体２０Ｂ及び第３の記憶媒体２０Ｃのそれぞれに階層的に記憶している音楽ファイルＭＦの中から、所望の音楽ファイルＭＦをユーザに選択させることにより、この選択させた音楽ファイルＭＦを再生して、かかる音楽ファイルＭＦに基づく音楽をユーザに聴かせることができる。そして制御部３０は、図２３（Ｃ）に示すように、再生している音楽に応じた音楽再生画面６０を表示部３７に対して表示させる。
【０１２９】
（２−６）第２の実施の形態の動作及び効果
以上の構成において音楽再生装置１０は、ユーザのカスタマイズに応じて複数の記憶媒体２０の階層構造の途中に音楽ファイルＭＦが記憶されている場合に、その階層構造を維持したまま統合したような統合リストＩＬ（図２２）を生成するようにした。
【０１３０】
従って音楽再生装置１０は、この統合リストＩＬを提示することで、第１の記憶媒体２０Ａ、第２の記憶媒体２０Ｂ及び第３の記憶媒体２０Ｃのそれぞれに記憶されている音楽ファイルＭＦを、ユーザがカスタマイズしたままの階層構造に応じて選択させることができ、結果として、ユーザが複数の記憶媒体２０の中から所望の音楽ファイルＭＦをより容易に見つけることができる。
【０１３１】
（３）第３の実施の形態
（３−１）第３の実施の形態の概要
次いで、図２４を用いて第３の実施の形態による音楽再生装置１００のハードウェア回路ブロックによるハードウェア回路構成を示す。かかる音楽再生装置１００は、中央処理ユニット（CPU:Central Processing Unit）７０と各ハードウェアとがバス７１を介して接続され、当該中央処理ユニット７０がＲＯＭ（Read Only Memory）７２又はハードディスクドライブ７３から読み出したリスト生成プログラム等の各種プログラムをＲＡＭ（Random Access Memory）７４で展開して実行することにより全体を統括制御すると共に、各種処理を実行するようになされている。
【０１３２】
これにより中央処理ユニット７０は、例えば音楽再生装置１００の筐体等に設けられた操作キー７５を介してラジオ局が選局されラジオ番組の出力が要求されると、チューナ７９に対し複数のラジオ局のラジオ放送波のうち、ユーザによって選局されたラジオ局のラジオ放送波を抽出するように設定して動作させる。また中央処理ユニット７０は、このときデータ処理部７７をラジオ番組の出力用に制御する。これによりチューナ７９は、アンテナ８０で受信された各ラジオ局のラジオ放送波の中から、ユーザによって選局されたラジオ局のラジオ放送波を抽出して復調処理等の所定の受信処理を施し、この結果得られたラジオ番組の番組信号をデータ処理部７７に送出する。データ処理部７７は、チューナ７９から与えられた番組信号に対しアナログデジタル変換処理及びイコライジング処理等のデジタル処理を施し、その結果得られた番組データに対しデジタルアナログ変換処理及び増幅処理等のアナログ処理を施す。これによりデータ処理部７７は、かかるアナログ処理に応じて番組信号を得て、これをスピーカ７８に送出することで当該スピーカ７８から番組信号に基づく番組の音声を出力させてユーザに聴取させる。このようにして中央処理ユニット７０は、ユーザに対し所望のラジオ局で放送されているラジオ番組を聴かせることができる。
【０１３３】
また中央処理ユニット７０は、操作キー７５を介してラジオ局が選局されラジオ番組の録音が要求されると、上述と同様にチューナ７９をユーザによって選局されたラジオ局のラジオ放送波を抽出するように設定して動作させる。また中央処理ユニット７０は、このときデータ処理部７７をラジオ番組の録音用に制御する。これによりチューナ７９は、アンテナ８０で受信された各ラジオ局のラジオ放送波の中から、ユーザによって選局されたラジオ局のラジオ放送波を抽出して受信処理を施し、この結果得られたラジオ番組の番組信号をデータ処理部７７に送出する。またデータ処理部７７は、チューナ７９から与えられた番組信号に対してデジタル処理を施し、その結果得られた番組データを中央処理ユニット７０に送出する。そして中央処理ユニット７０は、番組データをハードディスクドライブ７３に送出してデータファイルとして記録する。このようにして中央処理ユニット７０は、所望のラジオ局で放送されているラジオ番組を録音することができる。
【０１３４】
さらに、中央処理ユニット７０は、操作キー７５を介して番組データの再生が要求されると、ハードディスクドライブ７３から再生の要求された番組データを読み出し、これをデータ処理部７７に送出する。データ処理部７７は、中央処理ユニット７０から与えられた番組データに対し所定のデジタル処理を施した後、このデジタル処理した番組データに対しデジタルアナログ変換処理及び増幅処理等のアナログ処理を施す。これによりデータ処理部７７は、かかるアナログ処理に応じて番組信号を得て、これをスピーカ７８に送出することで当該スピーカ７８から番組信号に基づくラジオ番組の音声を出力させてユーザに聴取させることができる。このようにして中央処理ユニット７０は、ハードディスクドライブ７３に録音したラジオ番組を聴かせることができる。
【０１３５】
さらに中央処理ユニット７０は、操作キー７５を介して、ＣＤ（Compact Disk）等の光ディスクに記録された音楽データを録音するための操作命令が入力されると、光ドライブ８３に装填された図示しない光ディスクから音楽データを読み出すと共に、当該読み出した音楽データを所定の圧縮符号化方式で圧縮符号化して、これをハードディスクドライブ７３や、接続部８２を介して接続する複数のＵＳＢ（Universal Serial Bus）メモリ２００に送出してデータファイルとして記憶する。このようにして中央処理ユニット７０は、光ディスクに記憶されている音楽データをハードディスクドライブ７３や複数のＵＳＢメモリ２００に記憶するようになされている。
【０１３６】
さらに中央処理ユニット７０は、操作キー７５を介して、ハードディスクドライブ７３や複数のＵＳＢメモリ２００内の音楽データが指定され、かつ当該指定された音楽データを再生要求する操作命令が入力されると、これに応じてハードディスクドライブ７３や複数のＵＳＢメモリ２００から再生の要求された音楽データを読み出して復号化し、これをデータ処理部７７に送出する。データ処理部７７は、中央処理ユニット７０から与えられた音楽データに対し所定のデジタル処理を施した後、このデジタル処理した音楽データに対しデジタルアナログ変換処理及び増幅処理等のアナログ処理を施す。これによりデータ処理部７７は、かかるアナログ処理に応じて音楽信号を得て、これをスピーカ７８に送出することで当該スピーカ７８から音楽信号に基づく音楽を出力させてユーザに聴取させることができる。このようにして中央処理ユニット７０は、ハードディスクドライブ７３や複数のＵＳＢメモリ２００に録音した音楽をユーザに聴かせることができる。そして中央処理ユニット７０は、各処理の結果を例えばディスプレイでなる表示部８１に表示してユーザに提示する。
【０１３７】
ところで音楽再生装置１００は、上述したように中央処理ユニット７０がＲＯＭ７２又はハードディスクドライブ７３に記憶された各種プログラムに従って各種処理を実行すると共に各ハードウェアを制御している。このため音楽再生装置１００では、図３について上述した機能回路ブロックによるハードウェア構成の音楽再生装置１０の機能に応じて、ＲＯＭ７２又はハードディスクドライブ７３に記憶させる各種プログラムを適宜選定することにより、中央処理ユニット７０及びデータ処理部７７を、上述のデータ処理部３４（図３）と同様に機能させることができる。
【０１３８】
また、音楽再生装置１００では、中央処理ユニット７０及び接続部８２を、上述の接続処理部３８（図３）と同様に機能させることができる。さらに音楽再生装置１００では、操作キー７５を、上述の操作部３１（図３）と同様に機能させることができると共に、中央処理ユニット７０及びハードディスクドライブ７３を、上述の記憶部３２（図３）と同様に機能させることができる。さらに音楽再生装置１００では、中央処理ユニット７０、チューナ７９及びアンテナ８０を、上述の受信部３６（図３）と同様に機能させることができると共に、中央処理ユニット７０及び表示部８１を、上述の表示部３７（図３）と同様に機能させることができる。さらにさらに音楽再生装置１００では、中央処理ユニット７０を、上述の制御部３０（図３）、読出し部３８Ａ（図３）及びリスト生成部３８Ｂ（図３）のそれぞれと同様に機能させることができる。そしてスピーカ７８は、上述の出力部３５（図３）に対応する。また光ドライブ８３は、上述の光ドライブ部３３（図３）に対応する。さらにＵＳＢメモリ２００は、上述の記憶媒体２０（図３）に対応する。
【０１３９】
従って音楽再生装置１００は、音楽再生装置１０の機能に応じて、ＲＯＭ７２又はハードディスクドライブ７３に記憶させる各種プログラムを適宜選定することにより、当該音楽再生装置１０と同様の上述した処理を実行することができ、かくして上述した第１の実施の形態と同様の効果を得ることができる。
【０１４０】
（３−２）第３の実施の形態に対する他の実施の形態
なお、上述した第３の実施の形態においては、本発明による情報処理装置を、図２４について上述した音楽再生装置１００に適用するようにした場合について述べたが、本発明はこれに限らず、光ディスクレコーダや半導体メモリタイプのレコーダ、携帯オーディオプレイヤ及びパーソナルコンピュータ等のように、この他種々の情報処理装置に広く適用することができる。
【０１４１】
また上述した第３の実施の形態においては、コンテンツデータと、当該コンテンツデータを所定の階層構造で管理する管理情報とを記憶する複数の記憶媒体のそれぞれから管理情報を読み出す読出し部として、図２４について上述した中央処理ユニット７０を適用するようにした場合について述べたが、本発明はこれに限らず、コンテンツデータと、当該コンテンツデータを所定の階層構造で管理する管理情報とを記憶する複数の記憶媒体のそれぞれから管理情報を読み出すハードウェア構成の読出し回路等のように、この他種々の読出し部を広く適用することができる。
【０１４２】
さらに上述した第３の実施の形態においては、記憶媒体として、図２４について上述したＵＳＢメモリ２００を適用するようにした場合について述べたが、本発明はこれに限らず、外部ハードディスク型ストレージや、フラッシュメモリ型携帯オーディオプレイヤ、ハードディスク型携帯オーディオプレイヤ等、この他種々の記憶媒体を広く適用することができる。
【０１４３】
さらに上述した第３の実施の形態においては、読出し部により読み出された複数の記憶媒体のそれぞれの管理情報に基づいて、複数の記憶媒体のそれぞれの階層構造を維持したまま統合したリストを生成するリスト生成部として、図２４について上述した中央処理ユニット７０を適用するようにした場合について述べたが、本発明はこれに限らず、読出し部により読み出された複数の記憶媒体のそれぞれの管理情報に基づいて、複数の記憶媒体のそれぞれの階層構造を維持したまま統合したリストを生成するハードウェア構成のリスト生成回路等のように、この他種々のリスト生成部を広く適用することができる。
【０１４４】
さらに上述した第３の実施の形態においては、リスト生成部により生成されたリストを表示する表示部として、図２４について上述した表示部８１を適用するようにした場合について述べたが、本発明はこれに限らず、ブラウン管や液晶などのディスプレイやモニタからなる外部の表示部等であっても良い。
【０１４５】
さらに上述した第３の実施の形態においては、リスト生成プログラム等の各種プログラムを、ＲＯＭ７２又はハードディスクドライブ７３に記録しておくようにした場合について述べたが、本発明はこれに限らず、リスト生成プログラム等の各種プログラムをＵＳＢメモリ２０などの記録媒体に記録しておくようにして、かかる記録媒体から読み出して実行しても良いし、かかる記録媒体からＲＯＭ７２又はハードディスクドライブ７３にインストールし、その後に実行するようにしても良い。
【０１４６】
さらに上述した第１及び第３の実施の形態においては、コンテンツデータとして、図１乃至図２４について上述した光ディスクから読み出した音楽データを適用するようにした場合について述べたが、本発明はこれに限らず、ラジオ局から放送されたラジオ番組の番組データや、テレビ局から放送されたテレビ番組のビデオデータや、インターネット上の音声データ及び動画データや、静止画像データやテキストデータでも良く、コンテンツデータの種類及び取得方法については特に限定しない。
【産業上の利用可能性】
【０１４７】
本発明は、音楽を再生する機能を有する情報処理装置に利用することができる。
【図面の簡単な説明】
【０１４８】
【図１】第１の実施の形態による情報処理装置の概要を示すブロック図である。
【図２】第１の実施の形態による音楽再生装置の詳細構成を示す模式図である。
【図３】第１の実施の形態による音楽再生装置の詳細構成を示すブロック図である。
【図４】接続処理部の詳細構成を示すブロック図である。
【図５】第１の実施の形態による第１の記憶媒体の階層構造を示す略線図である。
【図６】第１の実施の形態による第１の提示リストを示す表である。
【図７】音楽を再生する操作の説明に供する略線図（１）である。
【図８】第１の実施の形態による第２の記憶媒体の階層構造を示す略線図である。
【図９】第１の実施の形態による第２の提示リストを示す表である。
【図１０】第１の実施の形態による第３の記憶媒体の階層構造を示す略線図である。
【図１１】第１の実施の形態による第３の提示リストを示す表である。
【図１２】第１の実施の形態による統合リストを示す表である。
【図１３】音楽を再生する操作の説明に供する略線図（２）である。
【図１４】リスト生成処理手順を示すフローチャートである。
【図１５】再生処理手順を示すフローチャートである。
【図１６】第２の実施の形態による第１の記憶媒体の階層構造を示す略線図である。
【図１７】第２の実施の形態による第１の提示リストを示す表である。
【図１８】第２の実施の形態による第２の記憶媒体の階層構造を示す略線図である。
【図１９】第２の実施の形態による第２の提示リストを示す表である。
【図２０】第２の実施の形態による第３の記憶媒体の階層構造を示す略線図である。
【図２１】第２の実施の形態による第３の提示リストを示す表である
【図２２】第２の実施の形態による統合リストを示す表である。
【図２３】音楽を再生する操作の説明に供する略線図（３）である。
【図２４】第３の実施の形態による音楽再生装置の詳細構成を示すブロック図である。
【符号の説明】
【０１４９】
１…情報処理装置、２、２０……記憶媒体、３、３８Ａ……読出し部、４、３８Ｂ……リスト生成部、１０、１００……音楽再生装置、３０……制御部、３１……操作部、３７……表示部、３８……接続処理部、４３……中央処理モジュール、４７……管理情報解析モジュール、４８……リスト生成モジュール、ＬＡ……第１の提示リスト。ＬＢ……第２の提示リスト、ＬＣ……第３の提示リスト、ＩＬ……統合リスト、５０Ａ……第１階層提示画面、５０Ｂ……第２階層提示画面、５０Ｃ……第３階層提示画面、５０Ｄ……第４階層提示画面、２００……ＵＳＢメモリ、ＲＴ１……リスト生成処理手順、ＲＴ２……再生処理手順。
【図１】
2008152479.tif 000003
【図２】
2008152479.tif 000004
【図３】
2008152479.tif 000005
【図４】
2008152479.tif 000006
【図５】
2008152479.tif 000007
【図６】
2008152479.tif 000008
【図７】
2008152479.tif 000009
【図８】
2008152479.tif 000010
【図９】
2008152479.tif 000011
【図１０】
2008152479.tif 000012
【図１１】
2008152479.tif 000013
【図１２】
2008152479.tif 000014
【図１３】
2008152479.tif 000015
【図１４】
2008152479.tif 000016
【図１５】
2008152479.tif 000017
【図１６】
2008152479.tif 000018
【図１７】
2008152479.tif 000019
【図１８】
2008152479.tif 000020
【図１９】
2008152479.tif 000021
【図２０】
2008152479.tif 000022
【図２１】
2008152479.tif 000023
【図２２】
2008152479.tif 000024
【図２３】
2008152479.tif 000025
【図２４】
2008152479.tif 000026